(57)【要約】      （修正有）【課題】携帯情報端末の携帯性を維持しながら、機器の制約を受けずに情報処理を行うことが可能な情報処理システムを提供する。【解決手段】第１携帯情報端末２と情報処理装置１とを具備する情報処理システムを用いる。第１携帯情報端末２は、第１ユーザに携帯され、その移動先にある第１表示装置９１に接続する。情報処理装置１は、第１携帯情報端末２とネットワーク５を介して接続されている。第１携帯情報端末２は、第１表示装置９１に関する第１表示装置情報を第１表示装置９１から取得し、第１携帯情報端末２に関する第１端末情報と第１表示装置情報とを情報処理装置１へ送信する。情報処理装置１は、第１表示装置９１で出力可能な第1情報と第１携帯情報端末２で出力可能な第２情報とを、第１携帯情報端末２へ送信する。第１携帯情報端末２は、第２情報を出力し、第１情報を第１表示装置９１へ送信する。第１表示装置９１は第１情報を出力する。【選択図】図２
2006185235.tif 000002
【特許請求の範囲】
【請求項１】
第１ユーザに携帯され、前記第１ユーザの移動先にある第１表示装置に接続可能な第１携帯情報端末と、
前記第１携帯情報端末とネットワークを介して通信可能に接続された情報処理装置と
を具備し、
前記第１携帯情報端末は、前記第１表示装置に関する第１表示装置情報を前記第１表示装置から取得し、前記第１携帯情報端末に関する第１端末情報と前記第１表示装置情報とを、前記情報処理装置へ送信し、
前記情報処理装置は、前記第１表示装置情報と前記第１端末情報とに基づいて、記憶している第１情報と第２情報とについて、前記第1情報を前記第１表示装置で表示可能に変換し、前記第２情報を前記第１携帯情報端末で出力可能に変換して、前記第１携帯情報端末へ送信し、
前記第１携帯情報端末は、前記第２情報を出力するとともに、前記第１表示装置が前記第１情報を表示するように前記第１情報を前記第１表示装置へ送信する
情報処理システム。
【請求項２】
請求項１に記載の情報処理システムにおいて、
前記第１情報は、予め前記情報処理装置に格納され、
前記第１携帯情報端末は、前記第１情報の要求を含む第１要求信号を、前記情報処理装置へ送信し、
前記情報処理装置は、前記第１要求信号に基づいて、前記第１表示装置で表示可能に変換された前記第1情報を、前記第１携帯情報端末へ送信する
情報処理システム。
【請求項３】
請求項１又は２に記載の情報処理システムにおいて、
前記第１携帯情報端末は、記憶部を備え、
前記記憶部は、
前記第１情報の入出力用に予め設定された第１記憶領域と、
前記第２情報の入出力用に予め設定された第２記憶領域と
を含む
情報処理システム。
【請求項４】
請求項１乃至３のいずれか一項に記載の情報処理システムにおいて、
第２ユーザに携帯され、前記第２ユーザの移動先にある第２表示装置に接続可能で、前記ネットワークを介して前記情報処理装置に通信可能に接続された第２携帯情報端末を更に具備し、
前記第２携帯情報端末は、前記第２表示装置に関する第２表示装置情報を前記第２表示装置から取得し、前記第２携帯情報端末に関する第２端末情報と前記表示装置情報とを、前記情報処理装置へ送信し、
前記情報処理装置は、前記第２端末情報と前記第２表示装置情報とに基づいて、記憶している第３情報と第４情報とについて、前記第３情報を前記第２表示装置で表示可能に変換し、前記第４情報を前記第２携帯情報端末で出力可能に変換し、前記第２携帯情報端末へ送信し、
前記第２携帯情報端末は、前記第４情報を出力するとともに、前記第２表示装置が前記第３情報を表示するように前記第３情報を前記第２表示装置へ送信する
情報処理システム。
【請求項５】
請求項４に記載の情報処理システムにおいて、
前記第３情報は、予め前記情報処理装置に格納され、
前記第１携帯情報端末又は前記第２携帯情報端末は、前記第２携帯情報端末へ前記第３情報を出力する要求を含む第２要求信号を、前記情報処理装置へ送信し、
前記情報処理装置は、前記第２要求信号に基づいて、前記第２表示装置で表示可能に変換された前記第３情報を前記第２携帯情報端末へ送信する
情報処理システム。
【請求項６】
請求項４又は５に記載の情報処理システムにおいて、
前記第２情報は、前記第1携帯情報端末のカメラが撮影した前記第1ユーザの映像、又は、前記第１携帯情報端末で受信した前記第１ユーザの音声であり、
前記第４情報は、前記第２携帯情報端末のカメラが撮影した前記第２ユーザの映像、又は、前記第２携帯情報端末で受信した前記第２ユーザの音声である
情報処理システム。
【請求項７】
請求項１乃至６のいずれか一項に記載の情報処理システムにおいて、
前記情報処理装置は、前記第１端末情報を含む端末情報と、前記第１ユーザを含むユーザに関する情報処理サービスを受ける際の不利な条件を示すハンディキャップ情報とを関連付けて格納するデータベースを備え、
前記情報処理装置は、前記第１情報を変換する際、前記データベースを参照して、前記ハンディキャップ情報に適応するように前記第１情報を変換する
情報処理システム。
【請求項８】
請求項１乃至７のいずれか一項に記載の情報処理システムにおいて、
前記情報処理装置は、前記第１ユーザに属する
情報処理システム。
【請求項９】
第１ユーザに携帯され前記第１ユーザの移動先にある第１表示装置に接続された第１携帯情報端末からネットワークを介して送信された、前記第１表示装置に関する第１表示装置情報と前記第１携帯情報端末に関する第１端末情報とを受信する送受信部と、
前記第１表示装置情報に基づいて、記憶している第１情報を前記第１表示装置で表示可能な第１変換情報に変換する第１データ処理部と、
前記第１端末情報に基づいて、記憶している第２情報を前記第１携帯情報端末で出力可能な第２変換情報に変換する第２データ処理部と
を具備し、
前記送受信部は、前記第１変換情報及び前記第２変換情報を、前記第１携帯情報端末へ前記ネットワークを介して送信する
情報処理装置。
【請求項１０】
請求項９に記載の情報処理装置において、
前記第１情報の入出力に用いる予め設定された第１記憶領域と、前記第２情報の入出力に用いる予め設定された第２記憶領域を含む記憶部を更に具備し、
前記第１データ処理部は、前記第１携帯情報端末から送信された前記第１情報の要求を含む第１要求信号に基づいて、前記第1情報を前記第１変換情報に変換して前記第１記憶領域に格納し、
前記送受信部は、前記第１変換情報を前記第１記憶領域から取得して前記第１携帯情報端末へ送信する
情報処理装置。
【請求項１１】
請求項９又は１０に記載の情報処理装置において、
前記送受信部は、第２ユーザに携帯され前記第２ユーザの移動先にある第２表示装置に接続された第２携帯情報端末から前記ネットワークを介して送信された、前記第２表示装置に関する第２表示装置情報と前記第２携帯情報端末に関する第２端末情報とを受信し、
前記第１データ処理部は、前記第２表示装置情報に基づいて、記憶している第３情報を前記第２表示装置で表示可能な第３変換情報に変換し、
前記第２データ処理部は、前記第２端末情報に基づいて、記憶している第４情報を前記第２携帯情報端末で出力可能な第４変換情報に変換し、
前記送受信部は、前記第３変換情報及び前記第４変換情報を、前記第２携帯情報端末へ前記ネットワークを介して送信する
情報処理装置。
【請求項１２】
請求項１１に記載の情報処理装置において、
前記第３情報は前記第１記憶領域に、前記第４情報は前記第２記憶領域にそれぞれ格納され、
第１データ処理部は、前記第１携帯情報端末又は前記第２携帯情報端末から送信された前記第２携帯情報端末へ前記第３情報を出力する要求を含む第２要求信号に基づいて、前記第３情報を前記第３変換情報に変換して前記第１記憶領域に格納し、
前記送受信部は、前記第３変換情報を前記第１記憶領域から取得して前記第２携帯情報端末へ送信する
情報処理装置。
【請求項１３】
請求項１１又は１２に記載の情報処理装置において、
前記第２情報は、前記第1携帯情報端末のカメラが撮影した前記第1ユーザの映像、又は、前記第１携帯情報端末で受信した前記第１ユーザの音声であり、
前記第４情報は、前記第２携帯情報端末のカメラが撮影した前記第２ユーザの映像、又は、前記第２携帯情報端末で受信した前記第２ユーザの音声である
情報処理装置。
【請求項１４】
請求項９乃至１３のいずれか一項に記載の情報処理装置において、
前記第１端末情報を含む端末情報と、前記第１ユーザを含むユーザに関する情報処理サービスを受ける際の不利な条件を示すハンディキャップ情報とを関連付けて格納するデータベースとを備え、
前記第１データ処理部は、前記第１情報を前記第１変換情報に変換する際、前記データベースを参照して、前記ハンディキャップ情報に適応するように前記第１情報を変換する
情報処理装置。
【請求項１５】
請求項１４に記載の情報処理装置において、
前記第２データ処理部は、前記第２情報を前記第２変換情報に変換する際、前記データベースを参照して、前記ハンディキャップ情報に適応するように前記第２情報を変換する
情報処理装置。
【請求項１６】
（ａ）第１ユーザに携帯された第１携帯情報端末が、前記第１ユーザの移動先にある第１表示装置と接続するステップと、
（ｂ）前記第１携帯情報端末が、前記第１表示装置に関する第１表示装置情報を前記第１表示装置から取得するステップと、
（ｃ）前記第１携帯情報端末が、前記第１携帯情報端末に関する第１端末情報と前記第１表示装置情報とを、ネットワークを介して情報処理装置へ送信するステップと、
（ｄ）前記情報処理装置が、前記第１表示装置情報に基づいて、記憶している第１情報を、前記第１表示装置の第１表示形式に対応するように変換して、前記ネットワークを介して前記第１携帯情報端末へ送信するステップと、
（ｅ）前記第１表示装置が、前記第１携帯情報端末の受信した前記第１情報を表示するステップと
を具備する
情報処理方法。
【請求項１７】
請求項１６に記載の情報処理方法において、
前記（ｄ）ステップは、
（ｄ１）前記情報処理装置が、前記第１端末情報に基づいて、前記情報処理装置が提供するサービスのメニューを示すメニュー情報を前記第１携帯情報端末で出力可能に変換して、前記ネットワークを介して前記第１携帯情報端末へ送信するステップと、
（ｄ２）前記第１携帯情報端末が、前記メニュー情報を出力するステップと、
（ｄ３）前記メニュー情報から選択された選択メニュー情報を前記情報処理装置へ前記ネットワークを介して送信するステップと、
（ｄ４）前記第１表示装置情報に基づいて、前記選択メニュー情報に関わる前記第１情報を、前記第１表示装置の第１表示形式に対応するように変換して、前記ネットワークを介して前記第１携帯情報端末へ送信するステップと
を備える
情報処理方法。
【請求項１８】
請求項１６又は１７に記載の情報処理方法において、
前記（ｃ）ステップは、
（ｃ１）前記第１携帯情報端末が、前記第１端末情報及び前記第１表示装置情報の他に、接続の要求を示す接続要求を前記情報処理装置へ送信するステップと、
（ｃ２）前記情報処理装置との接続が確立した後に、前記第１携帯情報端末が、前記第１情報の要求を前記情報処理装置へ送信するステップと
を備える
情報処理方法。
【請求項１９】
請求項１６乃至１８のいずれか一項に記載の情報処理方法において、
（ｆ）第２ユーザに携帯された第２携帯情報端末が、前記第２ユーザの移動先にある第２表示装置と接続するステップと、
（ｇ）前記第２携帯情報端末が、前記第２表示装置に関する第２表示装置情報を前記第２表示装置から取得するステップと、
（ｈ）前記第２携帯情報端末が、前記第２携帯情報端末に関する第２端末情報と前記第２表示装置情報とを、前記ネットワークを介して前記情報処理装置へ送信するステップと、
（ｉ）前記情報処理装置が、前記第２表示装置情報に基づいて、記憶している第２情報を、前記第２表示装置の第２表示形式に対応するように変換して、前記ネットワークを介して前記第２携帯情報端末へ送信するステップと、
（ｊ）前記第２表示装置が、前記第２携帯情報端末の受信した前記第２情報を表示するステップと
を更に具備する
情報処理方法。
【請求項２０】
請求項１９に記載の情報処理方法において、
（ｋ）前記第１携帯情報端末又は前記第２携帯情報端末が、第３情報を、前記ネットワークを介して前記情報処理装置へ送信するステップと、
（ｌ）前記情報処理装置が、前記第３情報を、前記ネットワークを介して前記第２携帯情報端末又は前記第１携帯情報端末へ送信するステップと、
を更に具備する
情報処理方法。
【請求項２１】
請求項２０に記載の情報処理方法において、
前記（ｌ）ステップは、
（ｌ１）前記情報処理装置が、前記第３情報を、前記第２表示形式又は前記第１表示形式に対応するように変換するステップと、
（ｌ２）前記第２表示装置が前記第２携帯情報端末の受信した前記第３情報を表示する、又は、前記第１表示装置が前記第１携帯情報端末の受信した前記第３情報を表示するステップと
を備える
情報処理方法。
【請求項２２】
請求項２０又は２１に記載の情報処理方法において、
前記第３情報は、前記第1携帯情報端末のカメラが撮影した前記第1ユーザの映像、前記第１携帯情報端末で受信した前記第１ユーザの音声、前記第２携帯情報端末のカメラが撮影した前記第２ユーザの映像、又は、前記第２携帯情報端末で受信した前記第２ユーザの音声を含む
情報処理方法。
【請求項２３】
請求項１６又は１７に記載の情報処理方法において、
前記（ｄ）ステップは、
（ｄ５）前記第１情報を変換する際、前記第１端末情報を含む端末情報と前記第１ユーザを含むユーザに関する情報処理サービスを受ける際の不利な条件を示すハンディキャップ情報とを関連付けて格納するデータベースを参照して、前記ハンディキャップ情報に適応するように前記第１情報を変換するステップを備える
情報処理方法。
【請求項２４】
（ｍ）第１ユーザに携帯され前記第１ユーザの移動先にある第１表示装置に接続された第１携帯情報端末からネットワークを介して送信された、前記第１表示装置に関する第１表示装置情報と前記第１携帯情報端末に関する第１端末情報とを受信するステップと、
（ｎ）前記第１表示装置情報に基づいて、記憶している第１情報を前記第１表示装置で表示可能な第１変換情報に変換するステップと、
（ｏ）前記第１端末情報に基づいて、記憶している第２情報を前記第１携帯情報端末で出力可能な第２変換情報に変換するステップと、
（ｐ）前記第１変換情報及び前記第２変換情報を、前記第１携帯情報端末へ前記ネットワークを介して送信するステップと
を具備する方法をコンピュータに実行させるプログラム。
【請求項２５】
請求項２４に記載のプログラムにおいて、
前記（ｍ）ステップは、
（ｍ１）前記第１端末情報に基づいて、提供するサービスのメニューを示すメニュー情報を前記第１携帯情報端末で出力可能に変換して、前記ネットワークを介して前記第１携帯情報端末へ送信するステップと、
（ｍ２）前記メニュー情報から選択された選択メニュー情報を、前記第１携帯情報端末から前記ネットワークを介して受信するステップと、
（ｍ３）前記選択メニュー情報に関わる前記第１情報を取得するステップと
を備える
プログラム。
【請求項２６】
請求項２５に記載のプログラムにおいて、
前記（ｎ）ステップは、
（ｎ１）前記第１携帯情報端末から送信された前記第１情報の要求を含む第１要求信号に基づいて、前記第1情報を前記第１変換情報に変換して、記憶部における予め設定された第１記憶領域へ格納するステップを備え、ここで、前記第１記憶領域は、前記第２情報を格納するために予め設定された第２記憶領域とは異なり、
前記（ｐ）ステップは、
（ｐ１）前記第１変換情報を前記第１記憶領域から取得して前記第１携帯情報端末へ送信するステップを備える
プログラム。
【請求項２７】
請求項２４乃至２６のいずれか一項に記載のプログラムにおいて、
（ｑ）第２ユーザに携帯され前記第２ユーザの移動先の場所にある第２表示装置に接続された第２携帯情報端末から前記ネットワークを介して送信された、前記第２表示装置に関する第２表示装置情報と前記第２携帯情報端末に関する第２端末情報とを受信するステップと、
（ｒ）前記第２表示装置情報に基づいて、記憶している第３情報を前記第２表示装置で表示可能な第３変換情報に変換するステップと、
（ｓ）前記第２端末情報に基づいて、記憶している第４情報を前記第２携帯情報端末で出力可能な第４変換情報に変換するステップと、
（ｔ）前記第３変換情報及び前記第４変換情報を、前記第２携帯情報端末へ前記ネットワークを介して送信するステップと
を更に具備する
プログラム。
【請求項２８】
請求項２７に記載のプログラムにおいて、
前記（ｒ）ステップは、
（ｒ１）前記第１携帯情報端末又は前記第２携帯情報端末から送信された前記第２携帯情報端末へ前記第３情報を出力する要求を含む第２要求信号に基づいて、前記第３情報を前記第３変換情報に変換し、前記記憶部における予め設定された第３記憶領域へ格納するステップを備え、ここで、前記第３記憶領域は、前記第４情報を格納するために予め設定された第４記憶領域とは異なり、
前記（ｔ）ステップは、
（ｔ１）前記第３変換情報を前記第３記憶領域から取得して前記第２携帯情報端末へ送信するステップを備える
プログラム。
【請求項２９】
請求項２７又は２８に記載のプログラムにおいて、
前記第２情報は、前記第1携帯情報端末のカメラが撮影した前記第1ユーザの映像、又は、前記第１携帯情報端末で受信した前記第１ユーザの音声であり、
前記第４情報は、前記第２携帯情報端末のカメラが撮影した前記第２ユーザの映像、又は、前記第２携帯情報端末で受信した前記第２ユーザの音声である
プログラム。
【請求項３０】
請求項２４乃至２９のいずれか一項に記載のプログラムにおいて、
前記（ｎ）ステップは、
（ｎ２）前記第１情報を前記第１変換情報に変換する際、前記第１端末情報を含む端末情報と前記第１ユーザを含むユーザに関する情報処理サービスを受ける際の不利な条件を示すハンディキャップ情報とを関連付けて格納するデータベースを参照して、前記ハンディキャップ情報に適応するように前記第１情報を変換するステップを備える
プログラム。
【請求項３１】
請求項３０に記載のプログラムにおいて、
前記（ｏ）ステップは、
（ｏ１）前記第２情報を前記第２変換情報に変換する際、前記データベースを参照して、前記ハンディキャップ情報に適応するように前記第２情報を変換するステップを備える
プログラム。
【請求項３２】
（ｕ）第１表示装置と接続されたことを検出して、前記第１表示装置に関する第１表示装置情報を前記第１表示装置から取得するステップと、
（ｖ）前記第１表示装置情報を、ネットワークを介して情報処理装置へ送信するステップと、
（ｗ）前記第１表示装置の第１表示形式に対応するように変換した第１情報を、前記情報処理装置から前記ネットワークを介して受信するステップと、
（ｘ）受信した前記第１情報を前記第１表示装置へ送信するステップと
を具備する方法をコンピュータに実行させるプログラム。
【請求項３３】
請求項３２に記載のプログラムにおいて、
前記（ｖ）ステップは、
（ｖ１）前記第１表示装置情報を前記情報処理装置へ送信するステップと、
（ｖ２）前記情報処理装置との接続が確立した後に、前記第１情報の要求を前記情報処理装置へ送信するステップと
を備える
プログラム。
【請求項３４】
請求項３２又は３３に記載のプログラムにおいて、
前記（ｗ）ステップは、
（ｗ１）前記第１情報を記憶部の予め設定された第１記憶領域に格納し、前記第１情報とは異なる予め設定された第２情報を第２記憶領域に格納するステップを備える
プログラム。
【発明の詳細な説明】
【技術分野】
【０００１】
本発明は、情報処理システム及び情報処理方法に関し、特に、携帯情報端末を用いた情報処理システム及び情報処理方法に関する。
【背景技術】
【０００２】
携帯電話やＰＤＡ（Ｐｅｒｓｏｎａｌ  Ｄｉｇｉｔａｌ  Ａｓｓｉｓｔａｎｔ）、ミニノートパソコンのような携帯情報端末は、小さく携帯性に優れている。ただし、ディスプレイのような表示機器やキーボードのような入力機器の大きさ、メモリのような記憶機器の容量などに制約がある。そのため、それらの制約に伴い機能が制限される場合がある。携帯情報端末の携帯性を維持しながら、機器の制約を受けずに済む技術が望まれている。
【０００３】
関連する技術として、特開２００３−３１９０９７号公報に、２画面連動映像配信システム及び装置が開示されている。この情報処理装置は、第１と第２の２種類のデータと該データの同期情報とを含む情報を受信する手段と、上記データの記憶部と、現在時刻を数える時計と、表示部と、処理部と有する。上記処理部は、上記２種類のデータを分離する手段と、上記表示部に表示する第１の情報を復号化する手段と、上記現在時刻と上記同期情報とに基づき上記第１の情報を上記表示部に表示する手段と、上記第２の情報を外部処理装置に出力をする手段とを制御することを特徴とする。
【０００４】
関連する技術として、例えば、以下のような、公衆の利用可能な大型の表示装置（特開２００４−１６６２１９号）や、ネットワークに接続された大型の表示装置（特開２００２−１０８７５２号）を用いる技術がある。
【０００５】
特開２００４−１６６２１９号公報に、公衆ディスプレイ装置及び公衆ディスプレイ装置による画像提供システム並びに公衆ディスプレイ装置の情報処理システムが開示されている。この公衆ディスプレイ装置は、画像表示手段と、近距離通信制御手段と、第１出力手段と、第２出力手段を備える。画像表示手段は、公衆の利用可能な場所に設置され、小型携帯用端末の表示画面より大きい表示画面を有する。第１出力手段は、近距離通信制御手段を介して受信する第１の画像データを再生して画像表示手段に出力する。第２出力手段は、受信制御手段を介して受信する若しくは記憶手段に記憶する第２の画像データを再生して画像表示手段に出力する。そして、不特定の小型携帯用端末と近距離通信制御手段を介して通信接続を確立する。該小型携帯用端末から近距離通信制御手段を介して第１の画像データを受信し、該受信する第１の画像データを再生して画像表示手段に出力する。それと共に、該小型携帯用端末との通信接続、該第１の画像データの受信若しくは該第１の画像データの再生に基づき予め出力している第２の画像データの再生を停止する。
【０００６】
特開２００２−１０８７５２号公報に、ネットワークシステム、該システムにおける他機機能利用方法及び記憶媒体が開示されている。このネットワークシステムは、所定データを処理して所定のサービス機能を果たす複数のサービス提供装置と、サーバと、第１の端末装置と、第２の端末装置と、がネットワークで接続されている。前記サーバ、前記第１の端末装置および前記第２の端末装置から複数のコネクションを同時に利用可能に構成されている。サービス提供装置特定手段と、コネクション設定手段と、データ送信手段とを備えている。サービス提供装置特定手段は、前記第１の端末装置及び前記第２の端末装置の少なくとも一方からの要求に応じて前記複数のサービス提供装置の中からサービス提供装置を特定する。コネクション設定手段は、前記サービス提供装置特定手段により特定されたサービス提供装置と前記第１の端末装置との間に新たなコネクションを設定する。データ送信手段は、前記コネクション設定手段により設定された新たなコネクションを通じて前記第１の端末装置から前記サービス提供装置に前記所定データを送信する。
【０００７】
また、次のような、車載機の画面（特開２００３−２４４３４３号）や、ノートＰＣの画面（特開２０００−３１１１４４号）、専用の独立した画面（特開平１１−２８８２５３号、特開２００３−２７３９８２号）を用いる技術がある。キーボードに関しては、以下のような投影したキーボード（特開２０００−８９８９９号）を用いる技術がある。
【０００８】
特開２００３−２４４３４３号公報に、表示装置、携帯端末及び情報表示システムが開示されている。この表示装置は、インタフェース手段と、制御手段と、表示手段とを有する。インタフェース手段は、携帯端末と接続され、前記携帯端末の画面に表示されるべき情報を入力する。制御手段は、前記情報を表示データに変換する。表示手段は、前記表示データを表示する、前記携帯端末の画面よりもサイズの大きい。
【０００９】
特開２０００−３１１１４４号公報に、携帯情報端末装置が開示されている。この携帯情報端末装置は、表示装置、入力装置、通信装置、制御基板を具備する。表示装置は、少なくとも情報を表示、閲覧することが出来る。入力装置は、文字や指令を入力可能である。通信装置は、公衆回線を使用し通信を行うための移動電話端末と情報の送受信可能である。制御基板は、装置全体を制御する。前記携帯情報端末装置が前記移動電話端末と接続可能な構造を具備する。携帯情報端末装置において、前記接続部が交換可能である。
【００１０】
特開平１１−２８８２５３号公報に、液晶表示装置及びその使用方法が開示されている。液晶表示装置は、文書，動画，静止画を表示するための液晶スクリーンと、該液晶スクリーンのドライバ回路と、第一の画像メモリと、コントローラ回路とを少なくとも有する。該液晶表示装置は動画像を伝送可能なデジタル信号ケーブルを介してデジタル画像データを発生できる外部装置に接続可能である。上記コントローラ回路は、第一の手段と、第二の手段と、第三の手段とを有する。第一の手段は、上記第一の画像メモリから画像データを読み出して上記液晶スクリーンに表示する。第二の手段は、上記デジタル信号ケーブルを介して上記外部装置から上記液晶表示装置へ送られてくるデジタル画像データを上記液晶スクリーンに表示する。第三の手段は、上記デジタル信号ケーブルを介して上記外部装置から上記液晶表示装置へ送られてくるデジタル画像データを直接上記第一の画像メモリに書き込む。
【００１１】
特開２００３−２７３９８２号公報に、携帯電話端末及び外付け表示装置が開示されている。この携帯電話端末の外付け表示装置は、携帯電話端末の表示部より大型の表示画面を一面に備えるパネル部と、前記パネル部の他面に設けられ携帯電話端末の筺体の少なくとも両側面に固定する前記パネル部の他面より突出する結合部材と、を備える。前記パネル部が携帯電話端末の表示部の少なくとも一部を覆うように取り付け可能である。
【００１２】
特開２０００−８９８９９号公報に、仮想ディスプレイ／キーボードとその生成方法が開示されている。この方法は、以下のステップ（ａ）から（ｃ）を設け、コンピュータ用の仮想ディスプレイ及びキーボードを生成する方法である。（ａ）実質的に平らで明るい色の面上にコンピュータディスプレイを表わすデータの仮想ディスプレイを投影する；（ｂ）前記実質的に平らで明るい色の面上にキーの仮想キーボードパターンを投影する；（ｃ）前記下層キーボード中のどの仮想キーが選択されたのかを判定するための遠隔検知手段を設ける。
【００１３】
【特許文献１】特開２００３−３１９０９７号
【特許文献２】特開２００４−１６６２１９号
【特許文献３】特開２００２−１０８７５２号
【特許文献４】特開２００３−２４４３４３号
【特許文献５】特開２０００−３１１１４４号
【特許文献６】特開平１１−２８８２５３号
【特許文献７】特開２００３−２７３９８２号
【特許文献８】特開２０００−８９８９９号
【発明の開示】
【発明が解決しようとする課題】
【００１４】
従って、本発明の目的は、携帯情報端末の携帯性を維持しながら、その機器の制約を受けずに情報処理を実施することができる情報処理システム及び情報処理方法を提供することにある。
【００１５】
また、本発明の他の目的は、携帯情報端末の携帯性を維持しながら、より大きな表示装置と同等の利便性を備え、情報の授受を行うことが可能な情報処理システム及び情報処理方法を提供することにある。
【００１６】
本発明の更に他の目的は、携帯型の情報端末でも、より大きな入力装置と同等の機能を備え、情報の授受を行うことが可能な情報処理装置及び情報処理方法を提供することにある。
【課題を解決するための手段】
【００１７】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１８】
従って、上記課題を解決するために、本発明の情報処理システムは、第１携帯情報端末（２−１）と情報処理装置（１）とを具備する。第１携帯情報端末（２−１）は、第１ユーザに携帯され、第１ユーザの移動先にある第１表示装置（９１）に接続可能である。情報処理装置（１）は、第１携帯情報端末（２−１）とネットワーク（５）を介して通信可能に接続されている。第１携帯情報端末（２−１）は、第１表示装置（９１）に関する第１表示装置情報を第１表示装置（９１）から取得し、第１携帯情報端末（２−１）に関する第１端末情報と第１表示装置情報とを、情報処理装置（１）へ送信する。情報処理装置（１）は、第１表示装置情報と第１端末情報とに基づいて、記憶している第１情報と第２情報とについて、第1情報を第１表示装置（９１）で表示可能に変換し、第２情報を第１携帯情報端末（２−１）で出力可能に変換し、第１携帯情報端末（２−１）へ送信する。第１携帯情報端末（２−１）は、第２情報を出力するとともに、第１表示装置（９１）が第１情報を表示するように第１情報を第１表示装置（９１）へ送信する。ただし、第１表示装置（９１）は、携帯情報端末（２−１）に内蔵された表示装置よりも大きい。
本発明では、第１ユーザの移動先にある大きな第１表示装置（９１）を用いるので、大画面の表示装置を持ち歩くことなく、大きな表示装置を用いる場合と同等の利便性を得ることが出来る。すなわち、携帯情報端末の携帯性を維持しながら、機器の制約を受けずに情報処理を実施することが可能となる。そのような大画面の表示装置は、公共のものである必要はなく、第１ユーザの移動先のオフィスにあるＰＣや、友人のＰＣでも良い。また、表示装置自身がネットワークに接続されている必要がない。
【００１９】
上記の情報処理システムにおいて、第１情報は、予め情報処理装置（１）に格納されている。第１携帯情報端末（２−１）は、第１情報の要求を含む第１要求信号を、情報処理装置（１）へ送信する。情報処理装置（１）は、第１要求信号に基づいて、第１表示装置（９１）で表示可能に変換された第1情報を、第１携帯情報端末（２−１）へ送信する。
【００２０】
上記の情報処理システムにおいて、第１携帯情報端末（２−１）は、記憶部（７２）を備える。記憶部（７２）は、第１情報の入出力用に予め設定された第１記憶領域（７２ｄ）と、第２情報の入出力用に予め設定された第２記憶領域（７２ａ／７２ｂ／７２ｃ）とを備える。
本発明において、メモリの領域を予め分割しておくことで、異なる種類のデータ（例示：携帯情報端末の音声、画像、キー操作、外付け表示装置）を的確に、効率的に処理することができる。
【００２１】
上記の情報処理システムにおいて、第２ユーザに携帯され、第２ユーザの移動先にある第２表示装置（９１）に接続可能で、ネットワーク（５）を介して情報処理装置（１）に通信可能に接続された第２携帯情報端末（２−２）を更に具備する。第２携帯情報端末（２−２）は、第２表示装置（９１）に関する第２表示装置情報を第２表示装置（９１）から取得し、第２携帯情報端末（２−２）に関する第２端末情報と表示装置情報とを、情報処理装置（１）へ送信する。情報処理装置（１）は、第２端末情報と第２表示装置情報とに基づいて、記憶している第３情報と第４情報とについて、第３情報を第２表示装置（９１）で表示可能に変換し、第４情報を第２携帯情報端末（２−２）で出力可能に変換し、第２携帯情報端末（２−２）へ送信する。第２携帯情報端末（２−２）は、第４情報を出力するとともに、第２表示装置（９１）が第３情報を表示するように第２表示装置（９１）へ第３情報を送信する。
本発明では、第１携帯情報端末（２−１）だけでなく、複数の第２携帯情報端末（２−２）についても、大画面の表示装置を持ち歩くことなく、大きな表示装置を用いる場合と同等の利便性を得ることが出来る。
【００２２】
上記の情報処理システムにおいて、第３情報は、予め情報処理装置（１）に格納されている。第１携帯情報端末（２−１）又は第２携帯情報端末（２−２）は、第２携帯情報端末（２−１）へ第３情報を出力する要求を含む第２要求信号を、情報処理装置（１）へ送信する。情報処理装置（１）は、第２要求信号に基づいて、第２表示装置（９１）で表示可能に変換された第３情報を第２携帯情報端末（２−２）へ送信する。
本発明では、第１携帯情報端末（２−１）が、第２ユーザの移動先にある大きな第２表示装置（９１）を用いた第２携帯情報端末（２−２）との間で、情報処理装置（１）を介した情報の授受を行うことができる。それにより、複数の携帯情報端末間での会議等の様々な利用形態を実施することができる。
【００２３】
上記の情報処理システムにおいて、第２情報は、第1携帯情報端末（２−１）のカメラ（７０）が撮影した第1ユーザの映像、又は、第１携帯情報端末（２−１）で受信した第１ユーザの音声である。第４情報は、第２携帯情報端末（２−２）のカメラ（７０）が撮影した第２ユーザの映像、又は、第２携帯情報端末（２−２）で受信した第２ユーザの音声である。
本発明により、双方のユーザを映像や音声で認識しながら、第１携帯情報端末（２−１）と第２携帯情報端末（２−２）との間で、情報処理装置（１）を介した各種情報の授受を行うことができる。
【００２４】
上記の情報処理システムにおいて、情報処理装置（１）は、第１端末情報を含む端末情報と、第１ユーザを含むユーザに関する情報処理サービスを受ける際の不利な条件を示すハンディキャップ情報とを関連付けて格納するデータベース（１４）を備える。情報処理装置（１）は、第１情報を変換する際、データベース（１４）を参照して、ハンディキャップ情報に適応するように第１情報を変換する。
本発明により、各ユーザの不利な条件（例示：外国人、弱視、盲人）に関わらず、各ユーザは情報処理装置（１）からサービスを受けることができる。
【００２５】
上記の情報処理システムにおいて、情報処理装置（１）は、第１ユーザに属する。
本発明により、ユーザが普段用いているＰＣの環境を携帯情報端末（１）に再現することができる。
【００２６】
上記課題を解決するために、本発明の情報処理装置は、送受信部（８５）と、第１データ処理部（１２−５）と、第２データ処理部（１２−３）とを具備する。送受信部（８５）は、第１ユーザに携帯され第１ユーザの移動先にある第１表示装置（９１）に接続された第１携帯情報端末（２−１）からネットワークを介して送信された、第１表示装置（９１）に関する第１表示装置情報と第１携帯情報端末（２−１）に関する第１端末情報とを受信する。第１データ処理部（１２−５）は、第１表示装置情報に基づいて、記憶している第１情報を第１表示装置（９１）で表示可能な第１変換情報に変換する。第２データ処理部（１２−３）は、第１端末情報に基づいて、記憶している第２情報を第１携帯情報端末（２−１）で出力可能な第２変換情報に変換する。送受信部（８５）は、第１変換情報及び第２変換情報を、第１携帯情報端末（２−１）へネットワークを介して送信する。
【００２７】
上記の情報処理装置において、第１情報の入出力に用いる予め設定された第１記憶領域（８２ｄ）と、第２情報の入出力に用いる予め設定された第２記憶領域（８２ｂ，８２ｃ）を含む記憶部（８２）を更に具備する。第１データ処理部（１２−５）は、第１携帯情報端末（２−１）から送信された第１情報の要求を含む第１要求信号に基づいて、第1情報を第１変換情報に変換して第１記憶領域（８２ｄ）に格納する。送受信部（８５）は、第１変換情報を第１記憶領域（８２ｄ）から取得して第１携帯情報端末（２−１）へ送信する。
【００２８】
上記の情報処理装置において、送受信部（８５）は、第２ユーザに携帯され第２ユーザの移動先にある第２表示装置（９１）に接続された第２携帯情報端末（２−２）からネットワークを介して送信された、第２表示装置（９１）に関する第２表示装置情報と第２携帯情報端末（２−２）に関する第２端末情報とを受信する。第１データ処理部（１２−５）は、第２表示装置情報に基づいて、記憶している第３情報を第２表示装置（９１）で表示可能な第３変換情報に変換する。第２データ処理部（１２−３）は、第２端末情報に基づいて、記憶している第４情報を第２携帯情報端末（２−２）で出力可能な第４変換情報に変換する。送受信部（８５）は、第３変換情報及び第４変換情報を、第２携帯情報端末（２−２）へネットワークを介して送信する。
【００２９】
上記の情報処理装置において、第３情報は第１記憶領域（８２ｄ）に、第４情報は第２記憶領域（８２ｂ、８２ｃ）にそれぞれ格納される。第１データ処理部（１２−５）は、第１携帯情報端末（２−１）又は第２携帯情報端末（２−２）から送信された第２携帯情報端末（２−２）へ第３情報を出力する要求を含む第２要求信号に基づいて、第３情報を第３変換情報に変換して第１記憶領域（８２ｄ）に格納する。送受信部（８５）は、第３変換情報を第１記憶領域（８２ｄ）から取得して第２携帯情報端末（２−２）へ送信する。
【００３０】
上記の情報処理装置において、第２情報は、第1携帯情報端末（２−１）のカメラが撮影した第1ユーザの映像、又は、第１携帯情報端末（２−１）で受信した第１ユーザの音声である。第４情報は、第２携帯情報端末（２−２）のカメラが撮影した第２ユーザの映像、又は、第２携帯情報端末（２−２）で受信した第２ユーザの音声である。
【００３１】
上記の情報処理装置において、第１端末情報を含む端末情報と、第１ユーザを含むユーザに関する情報処理サービスを受ける際の不利な条件を示すハンディキャップ情報とを関連付けて格納するデータベース（１４）とを備える。第１データ処理部（１２−５）は、第１情報を前記第１変換情報に変換する際、データベース（１４）を参照して、ハンディキャップ情報に適応するように第１情報を変換する。
情報処理装置。
【００３２】
上記の情報処理装置において、第２データ処理部（１２−３）は、第２情報を第２変換情報に変換する際、データベース（１４）を参照して、ハンディキャップ情報に適応するように第２情報を変換する。
【００３３】
上記課題を解決するために、本発明の情報処理方法は、（ａ）第１ユーザに携帯された第１携帯情報端末（２−１）が、第１ユーザの移動先にある第１表示装置（９１）と接続するステップと、（ｂ）第１携帯情報端末（２−１）が、第１表示装置（９１）に関する第１表示装置情報を第１表示装置（９１）から取得するステップと、（ｃ）第１携帯情報端末（２−１）が、第１携帯情報端末（２−１）に関する第１端末情報と第１表示装置情報とを、ネットワーク（５）を介して情報処理装置（１）へ送信するステップと、（ｄ）情報処理装置（１）が、第１表示装置情報に基づいて、記憶している第１情報を、第１表示装置（９１）の第１表示形式に対応するように変換して、ネットワーク（５）を介して第１携帯情報端末（２−１）へ送信するステップと、（ｅ）第１表示装置（９１）が、第１携帯情報端末（２−１）の受信した第１情報を表示するステップとを具備する。
【００３４】
上記の情報処理方法において、（ｄ）ステップは、（ｄ１）情報処理装置（１）が、第１端末情報に基づいて、情報処理装置（１）が提供するサービスのメニューを示すメニュー情報を第１携帯情報端末（２−１）で出力可能に変換して、前記ネットワーク（５）を介して第１携帯情報端末（２−１）へ送信するステップと、（ｄ２）第１携帯情報端末（２−１）が、メニュー情報を出力するステップと、（ｄ３）メニュー情報から選択された選択メニュー情報を情報処理装置（１）へネットワーク（５）を介して送信するステップと、（ｄ４）第１表示装置情報に基づいて、選択メニュー情報に関わる第１情報を、第１表示装置（９１）の第１表示形式に対応するように変換して、ネットワーク（５）を介して第１携帯情報端末（２−１）へ送信するステップとを備える。
【００３５】
上記の情報処理方法において、（ｃ）ステップは、（ｃ１）第１携帯情報端末（２−１）が、第１端末情報及び第１表示装置情報の他に、接続の要求を示す接続要求を情報処理装置（１）へ送信するステップと、（ｃ２）情報処理装置（１）との接続が確立した後に、第１携帯情報端末（２−１）が、第１情報の要求を情報処理装置（１）へ送信するステップとを備える。
【００３６】
上記の情報処理方法において、（ｆ）第２ユーザに携帯された第２携帯情報端末（２−２）が、第２ユーザの移動先にある第２表示装置（９１）と接続するステップと、（ｇ）第２携帯情報端末（２−２）が、第２表示装置（９１）に関する第２表示装置情報を第２表示装置（９１）から取得するステップと、（ｈ）第２携帯情報端末（２−２）が、第２携帯情報端末（２−２）に関する第２端末情報と第２表示装置情報とを、ネットワーク（５）を介して情報処理装置（１）へ送信するステップと、（ｉ）情報処理装置（１）が、第２表示装置情報に基づいて、記憶している第２情報を、第２表示装置（９１）の第２表示形式に対応するように変換して、ネットワーク（５）を介して第２携帯情報端末（２−２）へ送信するステップと、（ｊ）第２表示装置（９１）が、第２携帯情報端末（２−２）の受信した第２情報を表示するステップとを更に具備する。
【００３７】
上記の情報処理方法において、（ｋ）第１携帯情報端末（２−１）又は第２携帯情報端末（２−２）が、第３情報を、ネットワーク（５）を介して情報処理装置（１）へ送信するステップと、（ｌ）情報処理装置（１）が、第３情報を、ネットワーク（５）を介して第２携帯情報端末（２−２）又は第１携帯情報端末（２−１）へ送信するステップとを更に具備する。
【００３８】
上記の情報処理方法において、（ｌ）ステップは、（ｌ１）情報処理装置（１）が、第３情報を、第２表示形式又は第１表示形式に対応するように変換するステップと、（ｌ２）第２表示装置（９１）が第２携帯情報端末（２−２）の受信した第３情報を表示する、又は、第１表示装置（９１）第１携帯情報端末（２−１）の受信した第３情報を表示するステップとを備える。
【００３９】
上記の情報処理方法において、第３情報は、第１携帯情報端末（２−１）が撮影する第１ユーザの映像、第１携帯情報端末（２−１）で受信した第１ユーザの音声、第２携帯情報端末（２−２）が撮影する第２ユーザの映像、又は、第２携帯情報端末（２−２）で受信した第２ユーザの音声を含む。
【００４０】
上記の情報処理方法において、（ｄ）ステップは、（ｄ１）第１情報を変換する際、第１端末情報を含む端末情報と第１ユーザを含むユーザに関する情報処理サービスを受ける際の不利な条件を示すハンディキャップ情報とを関連付けて格納するデータベース（１４）を参照して、ハンディキャップ情報に適応するように第１情報を変換するステップを備える。
【００４１】
上記課題を解決するために、本発明のプログラムは、（ｍ）第１ユーザに携帯され第１ユーザの移動先の場所にある第１表示装置（９１）に接続された第１携帯情報端末（２−１）からネットワークを介して送信された、第１表示装置（９１）に関する第１表示装置情報と第１携帯情報端末（２−１）に関する第１端末情報とを受信するステップと、（ｎ）第１表示装置情報に基づいて、記憶している第１情報を第１表示装置（９１）で表示可能な第１変換情報に変換するステップと、（ｏ）第１端末情報に基づいて、記憶している第２情報を第１携帯情報端末（２−１）で出力可能な第２変換情報に変換するステップと、（ｐ）第１変換情報及び第２変換情報を、第１携帯情報端末（２−１）へネットワークを介して送信するステップとを具備する方法をコンピュータに実行させる。
【００４２】
上記のプログラムにおいて、（ｍ）ステップは、（ｍ１）第１端末情報に基づいて、提供するサービスのメニューを示すメニュー情報を第１携帯情報端末（２−１）で出力可能に変換して、ネットワーク（５）を介して第１携帯情報端末（２−１）へ送信するステップと、（ｍ２）メニュー情報から選択された選択メニュー情報を、第１携帯情報端末（２−１）からネットワーク（５）を介して受信するステップと、（ｍ３）選択メニュー情報に関わる第１情報を取得するステップとを備える。
【００４３】
上記のプログラムにおいて、（ｎ）ステップは、（ｎ１）第１携帯情報端末（２−１）から送信された第１情報の要求を含む第１要求信号に基づいて、第1情報を第１変換情報に変換して、記憶部（８２）における予め設定された第１記憶領域（８２ｄ）へ格納するステップを備える。ここで、第１記憶領域（８２ｄ）は、第２情報を格納するために予め設定された第２領域（８２ｂ、８２ｃ）とは異なる。（ｐ）ステップは、（ｐ１）第１変換情報を第１記憶領域（８２ｄ）から取得して第１携帯情報端末（２−１）へ送信するステップを備える。
【００４４】
上記のプログラムにおいて、（ｑ）第２ユーザに携帯され第２ユーザの移動先にある第２表示装置（９１）に接続された第２携帯情報端末（２−２）からネットワークを介して送信された、第２表示装置（９１）に関する第２表示装置情報と第２携帯情報端末（２−２）に関する第２端末情報とを受信するステップと、（ｒ）第２表示装置情報に基づいて、記憶している第３情報を第２表示装置（９１）で表示可能な第３変換情報に変換するステップと、（ｓ）第２端末情報に基づいて、記憶している第４情報を第２携帯情報端末（２−２）で出力可能な第４変換情報に変換するステップと、（ｔ）第３変換情報及び第４変換情報を、第２携帯情報端末（２−２）へネットワークを介して送信するステップとを更に具備する。
【００４５】
上記のプログラムにおいて、（ｒ）ステップは、（ｒ１）第１携帯情報端末（２−１）又は第２携帯情報端末（２−２）から送信された第２携帯情報端末（２−２）へ第３情報を出力する要求を含む第２要求信号に基づいて、第３情報を第３変換情報に変換し、記憶部（８２）における予め設定された第３記憶領域（８２ｄ）へ格納するステップを備える。ここで、第３記憶領域（８２ｄ）は、第４情報を格納するために予め設定された第４領域（８２ｂ、８２ｃ）とは異なる。（ｔ）ステップは、（ｔ１）第３変換情報を、第３記憶領域から取得して第２携帯情報端末（２−２）へ送信するステップを備える。
【００４６】
上記のプログラムにおいて、第２情報は、第1携帯情報端末（２−１）のカメラが撮影した第1ユーザの映像、又は、第１携帯情報端末（２−１）で受信した第１ユーザの音声である。第４情報は、第２携帯情報端末（２−２）のカメラが撮影した第２ユーザの映像、又は、第２携帯情報端末（２−２）で受信した第２ユーザの音声である。
【００４７】
上記のプログラムにおいて、（ｎ）ステップは、（ｎ２）第１情報を第１変換情報に変換する際、第１端末情報を含む端末情報と第１ユーザを含むユーザに関する情報処理サービスを受ける際の不利な条件を示すハンディキャップ情報とを関連付けて格納するデータベース（１４）を参照して、ハンディキャップ情報に適応するように第１情報を変換するステップを備える。
【００４８】
上記のプログラムにおいて、（ｏ）ステップは、（ｏ１）第２情報を第２変換情報に変換する際、データベースを参照して、ハンディキャップ情報に適応するように第２情報を変換するステップを備える。
【００４９】
上記課題を解決するために、本発明のプログラムは、（ｕ）第１表示装置（９１）と接続されたことを検出して、第１表示装置（９１）に関する第１表示装置情報を第１表示装置（９１）から取得するステップと、（ｖ）第１表示装置情報を、ネットワーク（５）を介して情報処理装置（１）へ送信するステップと、（ｗ）第１表示装置（９１）の第１表示形式に対応するように変換してされた第１情報を、情報処理装置（１）からネットワーク（５）を介して受信するステップと、（ｘ）受信した第１情報を第１表示装置（９１）へ送信するステップとを具備する方法をコンピュータに実行させる。
【００５０】
上記の記載のプログラムにおいて、（ｖ）ステップは、（ｖ１）第１表示装置情報を情報処理装置（１）へ送信するステップと、（ｖ２）情報処理装置（１）との接続が確立した後に、第１情報の要求を情報処理装置（１）へ送信するステップとを備える。
【００５１】
上記のプログラムにおいて、（ｗ）ステップは、（ｗ１）第１情報を記憶部（７２）の予め設定された第１記憶領域（７２ｄ）に格納し、第２情報を第１記憶領域（７２ｄ）とは異なる予め設定された第２記憶領域（７２ｂ、７２ｃ）に格納するステップを備える。
【００５２】
なお、上記の情報処理方法及びそのプログラムにおける情報の授受は一例であり、情報処理装置１のサービスに対応して携帯端末２と表示装置９１とが同時に共同して動作すれば、他のサービス（他のデータの送受信）に適用することも可能である。
【発明の効果】
【００５３】
本発明により、携帯情報端末の携帯性を維持しながら、その機器の制約を受けずに情報処理を行うことが可能となる。
【発明を実施するための最良の形態】
【００５４】
まず、本発明の情報処理システムの概要について説明する。図１（ａ）及び（ｂ）は、本発明の情報処理システムを示す外略図である。図１（ａ）では、表示装置９１を接続された携帯端末２が、基地局５ａを含むネットワーク５を介して情報処理装置１と接続されている。図１（ｂ）では、ＰＣに付属の表示装置９１を接続された携帯端末２が、基地局５ａを含むネットワーク５を介して情報処理装置１と接続されている。この場合、携帯端末２は、ＰＣ本体経由で表示装置９１に接続（実線で表示）されていも良いし、表示装置９１に直接接続（破線で表示）されても良い。
【００５５】
ユーザは、ユーザの移動先にある適当な表示装置９１に携帯端末２を接続した後、基地局５ａを含むネットワーク５を介して情報処理装置１へアクセスする。情報処理装置１は、携帯端末２にメニュー画面を表示させて、ユーザに多様なサービスを提案する。ユーザはその中から所望のサービスを選択する。情報処理装置１は、携帯端末２の表示部、スピーカ、マイク、及びカメラと表示装置９１とが同時に共同して動作するように、選択されたサービスに関する情報を携帯端末２へ送信する。それにより、本発明の情報処理システムは、より多様でより高度なサービスを、ネットワーク５を介して情報処理装置１からユーザ（携帯端末２）へ提供することが可能となる。ユーザは、携帯端末２を携帯していれば、表示装置９１を持ち歩かなくても、近くにある表示装置を用いることで上記サービスを受けることができる。その際、携帯端末２が表示装置９１のドライバを有している必要がない。情報処理装置１がドライバの機能を果たすからである。それにより、使用しようとする表示装置９１の種類にも制限されない。
【００５６】
（第１の実施の形態）
以下、本発明の情報処理システム及び情報処理方法の第１の実施の形態について、添付図面を参照して説明する。まず、本発明の情報処理システムの実施の形態の構成について説明する。
【００５７】
図２は、本発明の情報処理システムの第１の実施の形態の構成を示すブロック図である。情報処理システムは、情報処理装置１、携帯端末２−ｉ（ｉ＝１〜ｎ：ｎは自然数）を具備する。情報処理装置１、携帯端末２及び携帯端末３は、互いにネットワーク５で双方向通信可能に接続されている。
【００５８】
情報処理装置１は、ワークステーションやサーバに例示される情報処理装置である。ネットワーク５を介して携帯端末２を利用した情報処理の機能を提供する。情報処理装置１は、情報処理を行うプログラムとしての接続管理部１１、データ制御部１２、資料データベース１３、参加者データベース１４、接続機器データベース１５、メニューデータベース１８、記録データベース１９を備える。
【００５９】
資料データベース１３は、情報処理装置１の情報処理サービスを受ける対象者の識別データと、参照（利用）される資料データとを関連付けて格納している。資料データは、その情報処理サービスが携帯端末を用いたＴＶ会議の場合、会議に用いる資料のファイル（以下、「資料データファイル」ともいう）に例示される。資料データファイルは、携帯端末のユーザが予め情報処理装置１へ送信しておく。識別データは、ＴＶ会議参加者の携帯端末ＩＤに例示される。
【００６０】
参加者データベース１４は、情報処理装置１の情報処理サービスを受ける対象者の識別データと、対象者に関する情報とを関連付けて格納している。データは、ＴＶ会議の場合、会議に出席する参加者の名前やその携帯端末ＩＤに例示される。名前や携帯端末ＩＤは、携帯端末のユーザが予め情報処理装置１へ送信しておく。携帯端末ＩＤと携帯端末に関する情報（例示：参加者としての所有者の名前）とを関連付けて格納している。
【００６１】
接続機器データベース１５は、携帯端末に接続され得る接続機器（表示装置）の識別データと表示特性とを関連付けて格納している。ここで、表示特性は、表示可能画素数（解像度）や表示可能色数、走査方式に例示される。接続機器のデータを格納しておくことにより、既存の表示装置だけでなく、将来的に他の特性を持った装置との対応や、新しいアプリケーションにおける操作方法についても、対応することが可能となる。
【００６２】
メニューデータベース１８は、情報処理装置１が提供するサービスの種類と情報処理装置１の実施する情報処理の内容とを関連付けて格納している。ここで、サービスの種類は、ＴＶ会議、レストランのメニュー、スポーツ中継に例示される。情報処理の内容は、音声翻訳や文字変換、図面抽出に例示される。
【００６３】
記録データベース１９は、情報処理装置１が提供するサービスの実行記録を格納する。実行記録は、データの種類（例示：画像データ、文字データ、資料データ、音声データ）や、データの出力元（例示：情報処理装置１経由のデータベース、携帯端末２−ｉ（ｉ＝１〜ｎ））などで分類されて格納されている。
データ制御部１２は、その各部の動作及び送受信するデータを適当な時間間隔で記録データベース１９へ格納する。これにより、後日、データ制御部１２の動作の経過を把握することができる。
【００６４】
接続管理部１１は、情報処理装置１が情報処理を行う際、関連する携帯端末２−ｉ（ｉ＝１〜ｎ）との接続を確立する。その情報処理を終了する際、接続を終了する。
【００６５】
データ制御部１２は、情報処理装置１が情報処理を行う際、携帯端末２−ｉ（ｉ＝１〜ｎ）と情報処理装置１とのデータの送受信、データ処理を制御する。データ制御部１２は、データ処理を行うプログラムとしてのデータ認識部１２−１、音声データ処理部１２−２、内蔵表示データ処理部１２−３、操作データ処理部１２−４、表示データ処理部１２−５、検索部１２−６を含む。各プログラムは、例えば時分割的に実行される。
【００６６】
データ認識部１２−１は、各データベースや携帯端末（２−ｉ：送信元）から送信されたデータの種類を認識する。そして、データの種類に基づいて、そのデータをメモリ８２（後述）内の然るべき領域（例示：８２ａ〜８２ｅ）に格納する。
【００６７】
音声データ処理部１２−２は、各データベースや携帯端末（２−ｉ：送信元）から送信された音声に関するデータについて、必要に応じてデータ処理を行う。そのデータを携帯端末（２−ｊ（ｊ＝１〜ｎ、ｊ≠ｉ）：送信先）へ送信する。データ処理は、送信先の携帯端末で出力可能なようにデータを変換する処理、音声翻訳処理、文字データの音声データへの変換処理に例示される。音声に関するデータは、メモリ８２の領域８２ｂを介して入出力される。
【００６８】
内蔵表示データ処理部１２−３は、各データベースや携帯端末（２−ｉ：送信元）から送信された携帯端末の表示部で表示するデータについて、必要に応じてデータ処理を行う。そのデータを携帯端末（２−ｊ（ｊ＝１〜ｎ、ｊ≠ｉ）：送信先）へ送信する。データ処理は、送信先の携帯端末で出力可能なようにデータを変換する処理、データ内の文字データを抽出する処理、文字データを判別容易に変換する処理、文字データを他言語に変換する処理に例示される。表示部に表示するデータは、メモリ８２の領域８２ｃを介して入出力される。
【００６９】
操作データ処理部１２−４は、各データベースや携帯端末（２−ｉ：送信元）から送信された操作に関するデータについて、必要に応じてデータ処理を行う。そのデータを携帯端末（２−ｊ（ｊ＝１〜ｎ、ｊ≠ｉ）：送信先）へ送信する。操作に関するデータは、キーボードやテンキー、タッチパネルのような入力機器の操作によるデータに例示される。データ処理は、送信先の携帯端末で出力可能なようにデータを変換する処理、情報処理装置１（データ制御部１２）に実行させる処理を取捨選択する処理に例示される。操作に関するデータは、メモリ８２の領域８２ａを介して入出力される。
【００７０】
表示データ処理部１２−５は、各データベースや携帯端末（２−ｉ：送信元）から送信された外付けの表示装置で表示するデータについて、必要に応じてデータ処理を行う。そのデータを携帯端末（２−ｊ（ｊ＝１〜ｎ、ｊ≠ｉ）：送信先）へ送信する。データ処理は、送信先の外付けの表示装置で出力可能なようにデータを変換する処理、データ内の画像データを抽出する処理、画像データを判別容易に変換する処理に例示される。表示装置で表示するデータは、メモリ８２の領域８２ｄを介して入出力される。
【００７１】
検索部１２−６は、携帯端末（２−ｉ：送信元）から送信された検索に関するデータに基づいて、データを検索する。検索先としては、情報処理装置１内のデータベースだけでなく、外部のデータベースにアクセスして検索しても良い。そして、その検索されたデータを携帯端末（２−ｊ（ｊ＝１〜ｎ、ｊ≠ｉ）：送信先）へ送信する。検索に関するデータは、検索キーワードやデータファイル名に例示される。検索に関するデータは、メモリ８２の領域８２ｅを介して入出力される。
【００７２】
ただし、送受信自体は別の送受信機能（送受信部：図示されず）に実行させても良い。
【００７３】
携帯端末２−ｉ（ｉ＝１〜ｎ：ｎは自然数）は、ユーザに携帯され、携帯電話やＰＤＡやミニノートＰＣのような携帯可能な情報処理装置である。ネットワーク５を介した通信が可能、且つ、外部の表示装置を接続し利用することが可能である。携帯端末２は、本情報処理システムとして使用されるとき、外付けの表示装置９１が接続される。携帯端末２は、情報処理を行うプログラムとしての付属機器管理部２１、接続管理部２２、データ制御部２３を備える。
【００７４】
付属機器管理部２１は、外部機器接続用インターフェース（後述）に機器（例示：表示装置９１）が取り付けられたとき、その機器に問い合わせて、その機器の機能、性能等を取得する。
【００７５】
接続管理部２２は、情報処理装置１から情報処理のサービスの提供を受ける際、情報処理装置１との接続を確立する。及び、情報処理装置１から情報処理のサービスの提供を終了させる際、接続を終了する。
【００７６】
データ制御部２３は、情報処理装置１から情報処理のサービスの提供の提供を受ける際、情報処理装置１とのデータの送受信、データ処理を制御する。データ制御部２３は、データ処理を行うプログラムとしてのデータ認識部２３−１、音声データ処理部２３−２、内蔵表示データ処理部２３−３、操作データ処理部２３−４、表示データ処理部２３−５、検索部２３−６を含む。各プログラムは、例えば時分割的に実行される。
【００７７】
データ認識部２３−１は、情報処理装置１（送信元）から送信されたデータの種類を認識する。そして、データの種類に基づいて、そのデータをメモリ７２（後述）内の然るべき領域（例示：７２ａ〜７２ｅ）に格納する。
【００７８】
音声データ処理部２３−２は、情報処理装置１から送信された音声に関するデータをスピーカ７６（後述）から発生させる。ユーザによりマイク７５（後述）から入力された音声を音声に関するデータとして情報処理装置１へ送信する。音声に関するデータは、メモリ７２の領域７２ｂを介して入出力される。
【００７９】
内蔵表示データ処理部２３−３は、情報処理装置１から送信された携帯端末の表示部で表示するデータを内蔵表示装置７３（後述）に表示させる。携帯端末のカメラ７０（後述）で撮影された画像を携帯端末の表示部で表示するデータとして情報処理装置１へ送信する。表示部で表示するデータは、メモリ７２の領域７２ｃを介して入出力される。
【００８０】
操作データ処理部２３−４は、携帯端末２−ｉのテンキーやファンクションキー、付属のキーボードやタッチパネルのような入力機器の操作によるデータについて、必要に応じてデータ処理を行い、情報処理装置１へ送信する。データ処理は、入力をサービスのリクエスト信号に変換する処理に例示される。操作に関するデータは、メモリ７２の領域７２ａを介して入出力される。
【００８１】
表示データ処理部２３−５は、情報処理装置１から送信された外付けの表示装置９１（後述）で表示するデータを表示装置９１へ出力する。表示装置に表示するデータは、メモリ７２の領域７２ｄを介して入出力される。
【００８２】
検索部２３−６は、携帯端末２−ｉにおける検索命令の実行に対応して、検索に関するデータを情報処理装置１へ送信する。検索に関するデータ（例示：検索キーワード）は、メモリ７２の領域７２ｅを介して入出力される。
【００８３】
ただし、送受信自体は別の送受信機能（送受信部：図示されず）に実行させても良い。
【００８４】
参加者データベース１４について更に説明する。図３は、参加者データベース１４の一例を示す表である。参加者データベース１４は、情報処理装置１の情報処理サービスを受ける対象者の識別データと、対象者に関する情報とを関連付けて格納している。識別データは、対象者の相手先携帯端末のＩＤ１４−１、相手先携帯端末の電話番号のＴＥＬ１４−２に例示される。対象者に関する情報は、対象者の氏名１４−３、対象者の属する会社名や部署名のような属性１４−４、対象者の能力に関するハンディキャップ情報１４−５に例示される。ハンディキャップ情報１４−５は、例えば、日本語の理解できない外国人の場合はその国籍、目の不自由な人の場合にはその不自由な程度、耳の不自由な人にはその不自由な程度に例示される。国籍は、音声翻訳や文字の翻訳に適用できる。目の不自由程度は、文字の拡大や色の図形パターンへの変換や文字の読み上げに適用できる。耳の不自由程度は、音声の文字化に適用できる。
【００８５】
接続機器データベース１５について更に説明する。図４は、接続機器データベース１５の一例を示す表である。接続機器データベース１５は、携帯端末に接続され得る接続機器（表示装置）の識別データと表示特性データとを関連付けて格納している。識別データは、接続機器の名称１５−１に例示される。表示特性データは、表示可能画素数（解像度）１５−２、表示可能色数１５−３、走査方式１５−４、色補正値１５−５に例示される。
【００８６】
メニューデータベース１８について更に説明する。図５は、メニューデータベース１８の一例を示す表である。メニューデータベース１８は、情報処理装置１が提供する情報処理サービスの種類と、実施する情報処理の内容（機能）とを関連付けて格納している。
情報処理サービスの種類は、メニュー１８−１の各項目（例示：ＴＶ会議、レストランメニュー、スポーツ中継、ゲーム、入札、コンサートや映画の中継、ナビゲーション）に例示される。
情報処理の内容（機能）は、表示装置１８−２、内蔵表示装置１８−３、音声データ処理部１８−４、内蔵表示データ処理部１８−５、操作データ処理部１８−６、表示データ処理部１８−７に例示される。表示装置１８−２の欄は、表示装置９１の表示するデータを示す。内蔵表示装置１８−３の欄は、携帯端末２の内蔵表示装置７３の表示するデータを示す。音声データ処理部１８−４の欄は、音声データ処理部１２−２の実行する追加の機能（例示：音声翻訳、読み上げ）を示す。内蔵表示データ処理部１８−５の欄は、内蔵表示データ処理部１２−３の実行する追加の機能（例示：文字抽出、文字変換、（文字）翻訳）を示す。操作データ処理部１８−６は、操作データ処理部１２−４の実行する追加の機能（例示：機能変更）を示す。表示データ処理部１８−７は、表示データ処理部１２−５の実行する追加の機能（例示：図面抽出、色変更）を示す。
【００８７】
ここで、情報処理の内容（機能）について説明する。
音声翻訳は、例えば、日本語の音声データを英語に翻訳する。読み上げは、文字データを音声データに変換する。文字抽出は、文字と図形や画像とが組み合わさっているデータから文字データを抽出する。図面抽出は、文字と図形や画像とが組み合わさっているデータから図形や画像データを抽出する。文字変換は、文字データの文字の大きさを大きくしたり、読みやすくする。色変換は、図形や画像データの色を変更したり、色をテクスチャやパターンにする。（文字）翻訳は、例えば、日本語の文字データを英語に翻訳する。機能変更は、前述の各機能を変更するために設定画面表示及び設定変更を行う。
【００８８】
例えば、ハンディキャップ情報１４−５に「米国籍」と記載されていれば、音声データ処理部１８−４の音声翻訳（日英、英日）、内蔵表示データ処理部１８−５の（文字）翻訳（日英、英日）を起動する。これにより、言語の差を意識することなく快適にサービスを受けることができる。
また、ハンディキャップ情報１４−５に「弱視」と記載されていれば、内蔵表示データ処理部１８−５の文字抽出と文字変換、表示データ処理部１８−７の図面抽出、必要に応じて音声データ処理部１８−４の読み上げを起動する。これにより、文字や図面が見やすくなり快適にサービスを受けることができる。
ハンディキャップ情報１４−５に「盲人」と記載されていれば、音声データ処理部１８−４の読み上げ、内蔵表示データ処理１８−５の文字変換（携帯端末２に別途接続された点字変換を行う機器を用いる）を起動する。これにより、文字が見えなくても快適にサービスを受けることができる。
ハンディキャップ情報１４−５に「色覚異常」と記載されていれば、表示データ処理部１８−７の図面抽出、色変換を起動する。これにより、色の認識をパターン認識に変更でき快適にサービスを受けることができる。
【００８９】
なお、サービス実行時に常に操作データ処理部１８−６の機能変更を起動することで、携帯端末２の操作により、上記ハンディキャップ情報１４−５に関わらず、所望の機能を選択又は削除することができる。
【００９０】
ここで、メニュー１８−１の項目におけるＴＶ会議の場合、表示装置９１は、表示装置１８−２に記載されているように情報処理装置１から送信されるデータ（例示：資料データ）を表示する。内蔵表示装置７３は、内蔵表示装置１８−３に記載されているように他の接続先（他の携帯端末、情報処理装置）による入力情報（例示：相手のカメラ画像）が表示される。
レストランメニューの場合、表示装置９１は、表示装置１８−２に記載されているように情報処理装置１から送信されるデータ（例示：料理の種類）を表示する。内蔵表示装置７３は、内蔵表示装置１８−３に記載されているように表示内容を操作可能とするコマンド一覧など（例示：注文する料理の数や種類などを選択するためのコマンド）を表示する。スポーツ中継では、表示装置９１は、表示装置１８−２に記載されているように情報処理装置１から送信されるデータ（例示：スポーツ中継）を表示する。内蔵表示装置７３は、内蔵表示装置１８−３に記載されているように情報処理装置１から送信されるデータ及び表示内容を操作可能とするコマンド一覧など（例示：選手の過去の実績や、その日の調子など、データ表示を要求することのできるコマンド一覧、および要求したデータの結果）を表示する。
【００９１】
処理手順は、情報処理装置１の記憶装置８６に格納され、データ制御部１２で実行されるため、情報処理装置１側に格納するサービス及び情報処理の内容（機能）を増やしていくことにより、携帯端末２−１、２−２側にその機能を搭載していなくとも、様々な新しいアプリケーションの提供が可能となっている。
【００９２】
図６は、本発明の情報処理システムの携帯端末の第１の実施の形態の構成を示すブロック図である。携帯端末２（−１〜ｎ）は、カメラ７０、ＣＰＵ７１、メモリ７２、内蔵表示装置７３、キー入力部７４、マイク７５、スピーカ７６、通信部７７、記憶装置７８、外部機器接続用インターフェース７９、表示装置９１を備える。
【００９３】
図２で示したプログラムは、記憶装置７８に格納されている。動作時には、メモリ７２内に展開され、ＣＰＵ７１により実行される。メモリ７２は、通常の領域のほかに、領域７２ａ、領域７２ｂ、領域７２ｃ、領域７２ｄ及び領域７２ｅが設けられている。領域７２ａは、操作データ処理部２３−４に制御され、操作によるデータに関するデータの入出力に用いられる。領域７２ｂは、音声データ処理部２３−２に制御され、音声に関するデータの入出力に用いられる。領域７２ｃは、内蔵表示データ処理部２３−３に制御され、携帯端末の表示部で表示するデータの入出力に用いられる。領域７２ｄは、表示データ処理部２３−５に制御され、表示装置９１用のデータの入出力に用いられる。領域７２ｅは、検索部２３−６に制御され、検索に関するデータの入出力に用いられる。
【００９４】
表示装置９１は、制御部９１−１及び表示部９１−２を備える。制御部９１−１は、付属機器管理部２１の問い合わせに対して表示装置に関する情報を出力する。また、表示装置９１用のデータを表示部９１−２に表示させる。表示部９１−２がタッチパネル式であれば、タッチされたデータを認識して携帯端末へ出力する。表示装置９１は、携帯端末２の内蔵表示装置７３よりも大きい。例えば、フラットパネルディスプレイに例示される。タッチパネルのような入力可能なディスプレイであっても良い。
【００９５】
この表示装置９１は、例えば、携帯端末２のユーザの移動先（例示：仕事先、出張先、レストラン、娯楽施設など）にあるディスプレイである。本発明の情報処理システムでは、携帯端末２の内蔵表示装置７３が小さくても、携帯していない移動先のディスプレイを借りてデータを表示させることができる。それにより２つの異なる情報を同時に各々の表示装置から得ることができる。特に、そのディスプレイは、携帯端末２の内蔵表示装置７３より大きい場合、より詳細に情報を表示させることが出来好ましい。
【００９６】
図７は、本発明の情報処理システムの情報処理装置の実施の形態の構成を示すブロック図である。情報処理装置１は、ＣＰＵ８１、メモリ８２、外部機器接続用インターフェース８３、外部機器接続用インターフェース８４、通信部８５、記憶装置８６、キーボード９６、表示装置９７を備える。
【００９７】
図２で示したプログラムは、記憶装置８６に格納されている。動作時には、メモリ８２内に展開され、ＣＰＵ８１により実行される。メモリ８２は、通常の領域のほかに、領域８２ａ、領域８２ｂ、領域８２ｃ、領域８２ｄ及び領域８２ｅが設けられている。領域８２ａは、操作データ処理部１２−４に制御され、操作によるデータの入出力に用いられる。領域８２ｂは、音声データ処理部１２−２に制御され、音声に関するデータの入出力に用いられる。領域８２ｃは、内蔵表示データ処理部１２−３に制御され、携帯端末の表示部で表示するデータの入出力に用いられる。領域８２ｄは、表示データ処理部１２−５に制御され、表示装置９１用のデータの入出力に用いられる。領域８２ｅは、検索部１２−６に制御され、検索に関するデータの入出力に用いられる。キーボード９６や、表示装置９７は無くても良い。
【００９８】
図６及び図７に示すように、データの種類に応じて異なるメモリ内の領域を用いることで、データの処理を容易にしている。
【００９９】
次に、本発明の情報処理システムの第１の実施の形態の動作（情報処理方法）について説明する。
図８及び図９は、本発明の情報処理方法の第１の実施の形態の動作を示すフロー図である。ただし、図８は、携帯端末２が情報処理装置１の提供する複数の機能（サービス）のうちから一つを選択するまでの動作を示す。図９は、例として、携帯端末２−１（のユーザ）と携帯端末２−２（のユーザ）との間で行う会議が、機能として選択された場合を示す。
【０１００】
なお、携帯端末２−１、２−２と情報処理装置１との間の通信においては、通信される情報のヘッダ等に、送信元、送信先のＩＤ等が必ず含まれている。通信される情報が記憶（格納）される場合には、それらのＩＤ等に関連付けて記憶（格納）される。そららの記載は省略する（以下、他の実施の形態についても同様）。ＩＤ等は、携帯端末や情報処理装置の識別番号（ＩＤ）であり、ＵＲＬやメールアドレス、ＩＰアドレス等に例示される。
【０１０１】
まず、図８を参照して、携帯端末２が情報処理装置１の提供する複数の機能のうちから一つを選択する動作を説明する。
（１）ステップＳ０１
ユーザは、携帯端末２−１の外部機器接続用インターフェース７９に表示装置９１を接続する。外部機器接続用インターフェース７９は、付属機器の抜き差し検出機能を有する。携帯端末２の付属機器管理部２１は、外部機器接続用インターフェース７９からの検出信号により、その接続を検出する。この表示装置９１は、ユーザの移動先にあるもので、携帯端末２に接続可能なものであれば特に制限は無い。例えば、移動先のオフィスにある他人の表示装置を借り受けても良い。このように、本発明では、表示装置９１を持ち歩く必要がなく、特に公共の表示装置である必要もなく、表示装置９１がネットワークに接続されている必要もない。なお、表示装置９１のドライバは、携帯端末２−１が予め記憶装置７８に格納している。情報処理装置１からダウンロードしても良い。
（２）ステップＳ０２
付属機器管理部２１は、接続された表示装置９１へ機器情報要求を出力する。機器情報要求は、表示装置９１に関する情報としての表示装置情報の要求である。表示装置情報は、画素数（解像度）や走査方式に例示される接続機器の特徴を示す情報である。接続機器名称であっても良い。
（３）ステップＳ０３
表示装置９１の制御部９１−１は、機器情報要求に応答して、図示されないメモリに格納された表示装置情報を出力する。付属機器管理部２１は、表示装置情報をメモリ７２内に格納する。
（４）ステップＳ０４
ユーザは、接続要求を入力する。接続要求は、携帯端末２−１を情報処理装置１に接続して、所定の情報処理機能を利用するための要求である。事前に取り決められたユーザのパスワードを含んでいても良い。
（５）ステップＳ０５
携帯端末２−１の接続管理部２２は、接続要求入力を受けて、その接続要求と、機器情報とをネットワーク５を介して情報処理装置１へ送信する。ただし、機器情報は、携帯端末２−１に関する情報としての端末情報及び表示装置情報を含む。端末情報は、例えば、通信方式、内蔵表示装置７３の画素数や走査方式、音声変換方式、に例示される。情報処理装置１の接続管理部１１は、これらの情報をメモリ８２内に格納する。
（６）ステップＳ０６
接続管理部１１は、接続要求に応答して、機器情報（例示：画素数や走査方式）に基づいて、その携帯端末２で表示及び操作を行うことができるように変換（対応）したメニュー情報を生成する。メニュー情報は、ユーザが受けることができる情報処理のサービスの種類を示す情報である。メニュー情報に示されるサービスは、メニューデータベース１８のメニュー１８−１である。
ただし、機器情報中の表示装置情報を「接続機器名称」とした場合、接続機器データベース１５から、接続機器名称に対応する名称１５−１に基づいて、接続機器の表示特性を把握する。ここで把握した機器の特性に応じて、表示画面の大きさ変更や、操作インターフェースを統一する表示データ（メニュー情報）を生成する。この場合、携帯端末２−１から送信するデータの量を低減できる。
なお、既存のパソコン用ディスプレイは、ＤＤＣ（Ｄｉｓｐｌａｙ  Ｄａｔａ  Ｃｈａｎｎｅｌ）という規格に準拠しており、この機能に対応させることにより、ディスプレイと通信してディスプレイ側の対応周波数などの情報を自動的に取得可能となっている。
パスワードがある場合には、記憶装置８６のパスワードと携帯端末ＩＤとの対応テーブル（図示されず）で確認する。
（７）ステップＳ０７
接続管理部１１は、ネットワーク５を介してメニュー情報を携帯端末２へ送信する。
（８）ステップＳ０８
接続管理部２２は、メニュー情報を内蔵表示装置７３に表示する。
（９）ステップＳ０９
ユーザは、表示されたメニュー情報の中から所望のサービスを選択する。ここでは、携帯端末での会議（ＴＶ会議）を選択したものとする。
このとき選択するサービスが何であるかにより、携帯端末２−１の内蔵表示装置７３やその携帯端末に接続されている表示装置９１のそれぞれの画面に対する表示内容（表示データ）の種類が一意に決められる。サービスと表示内容との関係を示すデータは、既述のようにメニューデータベース１８に格納されている。
（１０）ステップＳ１０
接続管理部２２は、その選択されたサービス（ＴＶ会議）を示す選択情報を情報処理装置１へネットワーク５を介して送信する。
（１１）ステップＳ１１
接続管理部１１は、携帯端末２−１からの選択情報を確認する。それに基づいて、接続管理部１１は、選択されたサービス（ＴＶ会議）の開始を示す開始情報を生成する。それと共に、選択されたサービスに基づいて、データ制御部１２における各部の情報処理の内容（機能）をメニューデータベース１８を参照して使用可能に設定する。
（１２）ステップＳ１２
接続管理部１１は、開始情報を携帯端末２−１へネットワーク５を介して送信する。
（１３）ステップＳ１３
携帯端末２−１の接続管理部２２は、選択されたサービス（ＴＶ会議）の開始（開始情報）を内蔵表示装置７３に表示する。
【０１０２】
このようにして、携帯端末２は、情報処理装置１の提供する複数のサービスのうちから一つを選択する。
【０１０３】
次に、図９を参照して、携帯端末２−１（のユーザ）と携帯端末２−２（のユーザ）との間で行う会議が、サービスとして選択された場合を示す。ただし、携帯端末２−１のユーザは、会議の主催者（議長、代表者）であり、携帯端末２−２のユーザは、会議の参加者である。携帯端末２−２のユーザは、複数であっても良い。少なくとも携帯端末２−１のユーザは、予め情報処理の機能を用いる申込や契約等を行っている。
【０１０４】
（１）ステップＳ２１
情報処理装置１のデータ制御部１２は、開始情報出力の後、機器情報に基づいて、その携帯端末２−１で表示及び操作を行うことができるように変換（対応）した会議入力情報を生成する。会議入力情報は、会議の機能を実行する際に必要とする情報の入力画面を示す。
（２）ステップＳ２２
データ制御部１２は、ネットワーク５を介して会議入力情報を携帯端末２−１へ送信する。
（３）ステップＳ２３
携帯端末２−１のデータ制御部２３は、会議入力情報を内蔵表示装置７３に表示する。
（４）ステップＳ２４
ユーザは、表示された会議入力情報に、会議に関して必要とする情報を入力する。会議に関して必要とする情報は、ここでは、会議の相手を示す情報と、資料データファイル名とに例示される。ただし、会議の相手を示す情報としては、相手先携帯端末ＩＤ、メールアドレス、ＵＲＬ、ＩＰアドレス、名前、電話番号などに例示される。ここでは、相手先携帯端末ＩＤとする。相手先携帯端末ＩＤは、会議に出席する他のユーザの携帯端末である携帯端末２−２の識別番号（携帯端末ＩＤ）である。資料データファイル名は、会議用の資料である資料データファイルの名前である。資料データファイルは、資料データファイルと携帯端末ＩＤとを関連付けて格納している資料データベース１３から読み出す。携帯端末２−１のユーザが予め資料データベース１３に格納している。相手先携帯端末ＩＤ及び資料データファイル名は、それぞれ複数であっても良い。
（５）ステップＳ２５
データ制御部２３は、会議の相手を示す情報（相手先携帯端末ＩＤ）と、資料データファイル名とを情報処理装置１へネットワーク５を介して送信する。
（６）ステップＳ２６
情報処理装置１のデータ制御部１２は、相手先携帯端末ＩＤに基づいて、参加者データベース１４を参照して、接続する携帯端末２−２を特定する。このとき、携帯端末２−２のユーザのハンディキャップ情報１４−５を参照して、接続管理部１１がメニューデータベース１８を参照して使用可能に設定した情報処理の内容（機能）のうち、必要な機能を起動する。必要な機能は、例えば、ユーザのハンディキャップ情報１４−５が米国籍とあれば、文字データを英語に翻訳する翻訳機能を起動する。ハンディキャップ情報１４−５が弱視とあれば、文字データを大きな文字にする文字変換機能を起動する。
（７）ステップＳ２７
データ制御部１２は、相手先携帯端末ＩＤで示される携帯端末２−２で表示及び操作できるように変換（対応）した接続要求確認情報を生成する。接続要求確認情報は、接続の確認を行うための情報である。接続管理部１１は、接続要求確認情報を携帯端末２−２へネットワーク５を介して送信する。携帯端末２−２が複数の場合には、その各々に対して行う。
（８）ステップＳ２８
携帯端末２−２の接続管理部２２は、接続要求確認情報を内蔵表示装置７３に表示する。
（９）ステップＳ２９
携帯端末２−２のユーザは、表示された接続要求確認情報を確認し、確認の入力を行う。
（１０）ステップＳ３０
携帯端末２−２の接続管理部２２は、接続要求確認情報の入力に応答して、接続要求と機器情報とをネットワーク５を介して情報処理装置１へ送信する。機器情報は、携帯端末２−２に関する。
（１１）ステップＳ３１
接続管理部１１は、携帯端末２−２からの応答（接続要求、機器情報）を確認する。それに基づいて、情報処理装置１のデータ制御部１２は、携帯端末２−１、２−２の各々で表示可能なように変換（対応）した接続完了したことを示す接続完了情報を生成する。
（１２）ステップＳ３２
接続管理部１１は、接続完了情報を携帯端末２−１へネットワーク５を介して送信する。携帯端末２−１の接続管理部２２は、接続完了情報を内蔵表示装置７３に表示する。
（１３）ステップＳ３３
同様に、接続管理部１１は、接続完了情報を携帯端末２−２へネットワーク５を介して送信する。携帯端末２−２の接続管理部２２は、接続完了情報を内蔵表示装置７３に表示する。
（１４）ステップＳ３４
情報処理装置１のデータ制御部１２は、携帯端末２−１で選択されたサービス（ここでは、携帯端末によるＴＶ会議）を実行する。携帯端末によるＴＶ会議では、情報処理装置１、携帯端末２−１、携帯端末２−２が、資料データの送受信、その表示処理、携帯端末によるカメラ画像の送受信及び表示、音声の送受信及び発生を行う。詳細は後述する。
（１５）ステップＳ３５
ユーザは、選択されたサービス（ＴＶ会議）を終了するための終了要求を入力する。
（１６）ステップＳ３６
携帯端末２−１のデータ制御部２３は、終了要求の入力を受けて、その終了要求と携帯端末ＩＤとを情報処理装置１へネットワーク５を介して送信する。
（１７）ステップＳ３７
データ制御部１２は、終了要求入力を受けて、その携帯端末ＩＤに関わる機能を停止する。
（１８）ステップＳ３８
接続管理部１１は、選択されたサービス（ＴＶ会議）の終了を示す終了情報を携帯端末２−１の内蔵表示装置７３で表示可能に生成し、携帯端末２−１へネットワーク５を介して送信する。携帯端末２−１の接続管理部２２は、情報処理装置１との接続を切る。データ制御部２３は、処理を終了する。
（１９）ステップＳ３９
同様に、接続管理部１１は、選択されたサービスの終了を示す終了情報を携帯端末３の内蔵表示装置７３で表示可能に生成し、携帯端末２−２へネットワーク５を介して送信する。携帯端末２−２の接続管理部２２は、情報処理装置１との接続を切る。データ制御部２３は、処理を終了する。
【０１０５】
このようにすることで、携帯端末２−１（のユーザ）を代表者として、携帯端末２−２（のユーザ、複数可）との間で会議を行うことができる。その際、携帯端末２よりも大きな表示装置を用いることができるので、会議の内容が濃くなり、効率的で、その進行もスムーズにすることが可能となる。
【０１０６】
本発明において、携帯端末２−１、２−２の内蔵表示装置７３の表示と、接続された表示装置９１の表示とを独立に制御することができる。すなわち、資料と会議出席者の様子とが独立に表示されるので、会議の内容及び会議の内容をより的確に把握することができ、その進行もスムーズにすることが可能となる。
【０１０７】
次に、図９のフローにおけるステップＳ３４の動作について説明する。
図１０は、ステップＳ３４において、データ（例：資料データ）を表示装置に表示させる動作を示すフロー図である。
【０１０８】
（１）ステップＳ４１
携帯端末２−１のユーザは、キー入力部７４により、会議に使用する資料データファイルの中から、所望の資料データを指定する。例えば、最初の１ページ目を指定する。
（２）ステップＳ４２
携帯端末２−１のデータ制御部２３の操作データ処理部２３−４は、ユーザによる指定に基づいて、資料データの指定を示す資料データ指定情報を情報処理装置１へネットワーク５を介して送信する。資料データ指定情報は、操作データ処理部からのデータ（以下、「操作データ」ともいう）であることを示すヘッダが付いている。
（３）ステップＳ４３
情報処理装置１のデータ制御部１２のデータ認識部１２−１は、資料データ指定情報のヘッダから、資料データ指定情報が操作データであることを認識する。そして、その資料データ指定情報をメモリ８２内の領域８２ａへ格納する。領域８２ａは、操作データを記憶する。
操作データ処理部１２−４は、その資料データ指定情報を領域８２ａから読み出し、資料データベース１３から該当する資料データを取得する。そして、その資料データを携帯端末２の表示装置９１で表示可能なように変換する。その変換された資料データ（以下、変換資料データＡ）は、携帯端末２−１の表示装置９１で表示するデータであることを示すヘッダを有している。同様に、携帯端末２−２の表示装置９１で表示可能なように変換する。その変換された資料データ（以下、変換資料データＢ）は、携帯端末２−２の表示装置９１で表示するデータであることを示すヘッダがついている。
（４）ステップＳ４４
操作データ処理部１２−４は、変換資料データＡを、携帯端末２−１へネットワーク５を介して送信する。
（５）ステップＳ４５
同様に、操作データ処理部１２−４は、変換資料データＢを、携帯端末２−２へネットワーク５を介して送信する。
（６）ステップＳ４６
携帯端末２−１のデータ認識部２３−１は、変換資料データＡのヘッダから、変換資料データＡが表示装置９１用のデータであることを認識する。そして、その変換資料データＡをメモリ７２内の領域７２ｄへ格納する。領域７２ｄは、表示装置９１に関するデータを記憶する。
表示データ処理部２３−５は、その変換資料データＡを領域７２ｄから読み出し、表示装置９１へ出力する。
（７）ステップＳ４７
表示装置９１の制御部９１−１は、表示部９１−２を制御して、変換資料データＡを表示させる。
（８）ステップＳ４８
携帯端末２−２のデータ認識部２３−１は、変換資料データＢのヘッダから、変換資料データＢが表示装置９１用のデータであることを認識する。そして、その変換資料データＢをメモリ７２内の領域７２ｄへ格納する。
表示データ処理部２３−５は、その変換資料データＢを領域７２ｄから読み出し、表示装置９１へ出力する。
（９）ステップＳ４９
表示装置９１の制御部９１−１は、表示部９１−２を制御して、変換資料データＢを表示させる。
【０１０９】
ただし、資料データの指定を行う人については、所定の代表者（例示：携帯端末２のユーザ）に限定しても良いし、他の参加者（例示：携帯端末２−２のユーザ）に許可しても良い。
【０１１０】
図１０の例では、表示する資料データの指定ということで、ページ数（ページ番号）を入れるというステップについて説明しているが、Ｓ４１では、「表示したい資料データのページ数の指定」だけではなく、資料データへ新たな情報（資料へ文字や図形を書き加える、アンダーラインやマーカを引く、ある文字を○（円）で囲むなど、紙にペンで書き加えるような）を書き加える、補足する、というような「編集内容」を携帯端末からの入力とすることを可能とする。それにより、会議時における資料データの編集や、その編集内容を会議参加メンバへ迅速に伝えることができる。
【０１１１】
その処理手順は、図１０の処理内容のうち、Ｓ４１の部分にあたる。Ｓ４１の具体的な中身については、図８のＳ０４〜Ｓ０８のような処理の流れで、編集時のメニュー内容を、携帯端末２−１から情報処理装置１に要求し、情報処理装置１が編集可能なメニュー内容を携帯端末２−１に、フィードバックする。図９にあるＳ３５〜Ｓ３９のような処理の流れで、Ｓ３５：携帯端末２−１がユーザによる編集内容を受信し、Ｓ３６：携帯端末２−１が編集内容を送信し、Ｓ３７：情報処理端末１が編集内容の要求内容に従って資料データを変更、反映し、Ｓ３８、Ｓ３９：変更された資料データを各携帯端末２−１にフィードバックし表示を行う。
【０１１２】
このようにすることで、携帯端末における情報処理の負担を大きく増やすことなく、携帯端末に外部接続された表示装置に、携帯端末内蔵の表示装置とは異なる内容を表示させることができる。効率的且つ内容の濃い会議を行うことができる。
【０１１３】
次に、図９のフローにおけるステップＳ３４の他の動作について説明する。
図１１は、ステップＳ３４において、携帯端末２で撮影したユーザの画像を携帯端末３に表示させる動作を示すフロー図である。
【０１１４】
（１）ステップＳ５１
情報処理装置１の内蔵表示データ処理部１２−３は、携帯端末２−１、携帯端末２−２のカメラ画像を要求するカメラ画像要求を生成する。カメラ画像要求は、携帯端末２の内蔵表示装置７３に関するデータであることを示すヘッダがついている。
（２）ステップＳ５２
携帯端末２−１のデータ制御部２３のデータ認識部２３−１は、カメラ画像要求のヘッダから、カメラ画像要求が内蔵表示装置７３に関するデータであることを認識する。そして、そのカメラ画像要求をメモリ７２内の領域７２ｃへ格納する。領域７２ｃは、内蔵表示装置７３に関するデータを記憶する。
内蔵表示データ処理部２３−３は、そのカメラ画像要求を領域７２ｃから読み出す。そして、カメラ７０を用いて、携帯端末２−１のユーザのカメラ画像を取得する。取得したカメラ画像は、撮影した携帯端末（ユーザ）の携帯端末ＩＤが添付され、メモリ７２の領域７２ｃに格納される。
（３）ステップＳ５３
同様に、携帯端末２−２のデータ制御部２３のデータ認識部２３−１は、カメラ画像要求のヘッダから、カメラ画像要求が内蔵表示装置７３に関するデータであることを認識する。そして、そのカメラ画像要求をメモリ７２内の領域７２ｃへ格納する。領域７２ｃは、内蔵表示装備７３に関するデータを記憶する。
内蔵表示データ処理部２３−３は、そのカメラ画像要求を領域７２ｃから読み出す。そして、カメラ７０を用いて、携帯端末２−２のユーザのカメラ画像を取得する。取得したカメラ画像は、メモリ７２の領域７２ｃに格納される。
（４）ステップＳ５４
携帯端末２−１の内蔵表示データ処理部２３−３は、そのカメラ画像を領域７２ｃから読み出す。そして、そのカメラ画像をネットワーク５を介して情報処理装置１へ送信する。そのカメラ画像には、内蔵表示装備７３に関するデータを示すヘッダが付いている。
（５）ステップＳ５５
同様に、携帯端末２−２の内蔵表示データ処理部２３−３は、そのカメラ画像を領域７２ｃから読み出す。そして、そのカメラ画像をネットワーク５を介して情報処理装置１へ送信する。そのカメラ画像には、内蔵表示装備７３に関するデータを示すヘッダが付いている。
（６）ステップＳ５６
情報処理装置１のデータ制御部１２のデータ認識部１２−１は、カメラ画像のヘッダから、カメラ画像が内蔵表示装備７３に関するデータであることを認識する。そして、そのカメラ画像をメモリ８２内の領域８２ｃへ格納する。領域８２ｃは、内蔵表示装備７３に関するデータを記憶する。
内蔵表示データ処理部１２−３は、携帯端末２−２からのカメラ画像を領域８２ｃから読み出す。そして、そのカメラ画像を携帯端末２−１の内蔵表示装置７３で表示可能なように変換する。その変換されたカメラ画像（以下、変換カメラ画像Ａ）は、携帯端末２−１の内蔵表示装置７３で表示するデータであることを示すヘッダを有している。
同様に、内蔵表示データ処理部１２−３は、携帯端末２−１からのカメラ画像を領域８２ｃから読み出す。そして、そのカメラ画像を携帯端末２−２の内蔵表示装置７３で表示可能なように変換する。その変換されたカメラ画像（以下、変換カメラ画像Ｂ）は、携帯端末２−２の内蔵表示装置７３で表示するデータであることを示すヘッダを有している。
（７）ステップＳ５７
内蔵表示データ処理部１２−３は、変換カメラ画像Ａを、携帯端末２−１へネットワーク５を介して送信する。
（８）ステップＳ５８
同様に、内蔵表示データ処理部１２−３は、変換カメラ画像Ｂを、携帯端末２−２へネットワーク５を介して送信する。
（９）ステップＳ５９
携帯端末２−１のデータ認識部２３−１は、変換カメラ画像Ａのヘッダから、変換カメラ画像Ａが内蔵表示装置７３用のデータであることを認識する。そして、その変換カメラ画像Ａをメモリ７２内の領域７２ｃへ格納する。
内蔵表示データ処理部２３−３は、その変換カメラ画像Ａを領域７２ｃから読み出し、内蔵表示装置７３に表示させる。
（１０）ステップＳ６０
同様に、携帯端末２−２のデータ認識部２３−１は、変換カメラ画像Ｂのヘッダから、変換カメラ画像Ｂが内蔵表示装置７３用のデータであることを認識する。そして、その変換カメラ画像Ｂをメモリ７２内の領域７２ｃへ格納する。
内蔵表示データ処理部２３−３は、その変換カメラ画像Ｂを領域７２ｃから読み出し、内蔵表示装置７３に表示させる。
（１１）ステップＳ６１
内蔵表示データ処理部１２−３は、携帯端末２−１及び携帯端末２−２へカメラ画像を送信してから、所定の時間を経過するのを待つ。所定の時間としては、例えば１秒である。
（１２）ステップＳ６２
内蔵表示データ処理部１２−３は、上記の所定の時間を経過後、会議が終了していないことを確認する。会議の終了は、終了要求の有無で判定する。終了していない場合、ステップＳ５１へ戻り、再びカメラ画像の取得、送信、表示のプロセスを実行する。終了する（している）場合、プロセスを終了する。
【０１１５】
なお、会議の参加者が複数の場合には、内蔵表示データ処理部２３−３は、内蔵表示装置７３を分割して、全員分の複数の変換カメラ画像をその携帯端末ＩＤと共に表示するようにしても良い。例えば、参加者が四名の場合、本人を除く３名のカメラ画像をその携帯端末ＩＤと共に内蔵表示装置７３に表示させる。
【０１１６】
このようにすることで、会議の参加者全員の画像を携帯端末に表示することができる。それにより、参加者の表情から、それぞれの考えや雰囲気を把握することができ、会議の臨場感を高めると共に、会議の進行をスムーズにすることができる。
【０１１７】
次に、図９のフローにおけるステップＳ３４の更に他の動作について説明する。
図１２及び図１３は、ステップＳ３４において、ユーザが発言をする動作を示すフロー図である。
【０１１８】
（１）ステップＳ７１
携帯端末２−２のユーザは、キー入力部７４により、会議において発言を要求する発言要求を生成する。
（代表者（携帯端末２−１）の場合、ステップＳ７１’：携帯端末２−１のユーザは、キー入力部７４により、会議において発言を要求する発言要求を生成する。）
（２）ステップＳ７２
携帯端末２−２のデータ制御部２３の操作データ処理部２３−４は、発言要求をネットワーク５を介して情報処理装置１へ送信する。発言要求は、操作データであることを示すヘッダが付いている。
（代表者（携帯端末２−１）の場合、ステップＳ７２’：携帯端末２−１のデータ制御部２３の操作データ処理部２３−４は、発言要求をネットワーク５を介して情報処理装置１へ送信する）
（３）ステップＳ７３
情報処理装置１のデータ制御部１２のデータ認識部１２−１は、発言要求のヘッダから、発言要求が操作データであるを認識する。そして、その発言要求をメモリ８２内の領域８２ａへ格納する。
操作データ処理部１２−４は、その発言要求を領域８２ａから読み出す。そして、その発言要求が代表者（ここでは、携帯端末２−１のユーザ）の発言か否かを発言要求の発せられた携帯端末ＩＤで判定する。
（４）ステップＳ７４
操作データ処理部１２−４は、発言要求が代表者からの場合、音声データ処理部１２−２が他のユーザからの発言に関する処理を行っている場合には、それを中止させる。そして、発言の許可を示す許可信号を示す許可情報を携帯端末２−１の表示装置９１で表示可能に生成する。許可情報は、表示装置９１用のデータであることを示すヘッダが付いている。
（５）ステップＳ７５
操作データ処理部１２−４は、許可情報を携帯端末２−１（代表者）へ送信する。
（６）ステップＳ７６
携帯端末２−１のデータ認識部２３−１は、許可情報のヘッダから、許可情報が表示装置９１用のデータであることを認識する。そして、その許可情報をメモリ７２内の領域７２ｄへ格納する。
表示データ処理部２３−５は、その許可情報を領域７２ｄから読み出し、表示装置９１へ出力する。
（７）ステップＳ７７
表示装置９１の制御部９１−１は、表示部９１−２を制御して、許可情報を表示させる。このとき、既に表示されているデータ（例示：資料データ）に対して、別のウインドウを開くように表示する。ウインドウを最大化、最小化、所望のサイズに変更することで、表示装置９１上で既存のデータと並存させることができる（以下同じ）。
（８）ステップＳ７８
操作データ処理部１２−４は、ステップＳ７３で発言要求が代表者からでない場合、他のユーザからの発言に関する処理を音声データ処理部１２−２が行っているか否かを判定する。
（９）ステップＳ７９
操作データ処理部１２−４は、音声データ処理部１２−２が他のユーザからの発言に関する処理を行っている場合、発言要求の発せられた携帯端末ＩＤと、参加者データベース１４とに基づいて、待機者リストを作成する。作成された待機者リストは、記憶部８２の領域８２ａへ格納される。既に待機者リストがある場合には、その待機者リストを更新する。
（１０）ステップＳ８０
操作データ処理部１２−４は、その待機者リストを携帯端末２−１の表示装置９１で表示可能なように変換する。その変換された待機者リスト（以下、変換待機者リスト）は、携帯端末２−１の表示装置９１で表示するデータであることを示すヘッダを有している。操作データ処理部１２−４は、待機者リストを携帯端末２−１へネットワーク５を介して送信する。
（１１）ステップＳ８１
携帯端末２−１のデータ認識部２３−１は、変換待機者リストのヘッダから、変換待機者リストが表示装置９１用のデータであることを認識する。そして、その変換待機者リストをメモリ７２内の領域７２ｄへ格納する。
表示データ処理部２３−５は、その変換待機者リストを領域７２ｄから読み出し、表示装置９１へ出力する。
（１２）ステップＳ８２
表示装置９１の制御部９１−１は、表示部９１−２を制御して、変換待機者リストを表示させる。このとき、既に表示されているデータに対して、別のウインドウを開くように表示する。
（１３）ステップＳ８３
操作データ処理部１２−４は、音声データ処理部１２−２が他のユーザからの発言に関する処理を行ってない場合、記憶部８２の領域８２ａへ格納された待機者リストが存在するか否かを判断する。
（１４）ステップＳ８４
操作データ処理部１２−４は、待機リストが存在する場合、どの発言者に発言を許可するかを問い合わせる発言者要求を作成する。操作データ処理部１２−４は、その発言者要求を携帯端末２−１の表示装置９１で表示可能なように変換する。その変換された発言者要求（以下、変換発言者要求）は、携帯端末２−１の表示装置９１で表示するデータであることを示すヘッダを有している。操作データ処理部１２−４は、発言者要求を携帯端末２−１へネットワーク５を介して送信する。
（１５）ステップＳ８５
携帯端末２−１のデータ認識部２３−１は、変換発言者要求のヘッダから、変換発言者要求が表示装置９１用のデータであることを認識する。そして、その変換発言者要求をメモリ７２内の領域７２ｄへ格納する。
表示データ処理部２３−５は、その変換発言者要求を領域７２ｄから読み出し、表示装置９１へ出力する。
（１６）ステップＳ８６
表示装置９１の制御部９１−１は、表示部９１−２を制御して、変換発言者要求を表示させる。このとき、既に表示されているデータに対して、別のウインドウを開くように表示する。
（１７）ステップＳ８７
ユーザは、発言者要求に基づいて、表示装置９１に表示された待機者リストから発言者を指定し、キー入力部７４から入力する。操作データ処理部２３−１は、指定された発言者を示す発言者情報をネットワーク５を介して情報処理装置１へ指定された発言者を送信する。発言者情報は、操作データに関するデータであることを示すヘッダが付いている。
（１８）ステップＳ８８
情報処理装置１のデータ制御部１２のデータ認識部１２−１は、指定された発言者のヘッダから、発言者情報が操作データに関するデータであるを認識する。そして、その発言要求をメモリ８２内の領域８２ａへ格納する。操作データ処理部１２−４は、その発言者情報を領域８２ａから読み出す。そして、発言者情報に基づいて、参加者データベース１４を参照して、発言者情報に対応する発言者の携帯端末（携帯端末２−２）へ許可を示す許可情報を送信する。
又は、操作データ処理部１２−４は、ステップＳ８３で待機リストが存在しない場合、ステップＳ７２で発言要求を行った発言者の携帯端末（携帯端末２−２）へ許可を示す許可情報を送信する。
許可情報は、発言者の携帯端末の表示装置９１で表示可能に生成され、その表示装置で表示するデータであることを示すヘッダを有している。
（１９）ステップＳ８９
携帯端末２−２のデータ認識部２３−１は、許可情報のヘッダから、許可情報が表示装置９１用のデータであることを認識する。そして、その許可情報をメモリ７２内の領域７２ｄへ格納する。
表示データ処理部２３−５は、その許可情報を領域７２ｄから読み出し、表示装置９１へ出力する。
（２０）ステップＳ９０
表示装置９１の制御部９１−１は、表示部９１−２を制御して、許可情報を表示させる。このとき、既に表示されているデータに対して、別のウインドウを開くように表示する。
（２１）ステップＳ９１
ユーザは、表示装置９１に表示された発言許可に基づいて、マイク７５を介して発言を行う。音声データ処理部２３−２は、その音声情報を生成する。音声情報は、音声データに関するデータであることを示すヘッダが付いている。
（２２）ステップＳ９２
音声データ処理部２３−２は、音声情報を情報処理装置１へネットワーク５を介して送信する。
（２３）ステップＳ９３
情報処理装置１のデータ制御部１２のデータ認識部１２−１は、音声情報のヘッダから、音声情報が音声データに関するデータであるを認識する。そして、その音声データをメモリ８２内の領域８２ｂへ格納する。領域８２ｂは、音声データに関するデータを記憶する。音声データ処理部１２−２は、その音声情報を領域８２ｂから読み出す。そして、参加者データベース１４を参照して、他の全ての携帯端末（携帯端末２−１）へ音声情報を送信する。
（２４）ステップＳ９４
携帯端末２−１のデータ制御部２２のデータ認識部２２−１は、音声情報のヘッダから、音声情報が音声データに関するデータであるを認識する。そして、その音声データをメモリ７２内の領域７２ｂへ格納する。領域７２ｂは、音声データに関するデータを記憶する。音声データ処理部２２−２は、その音声情報を領域２２ｂから読み出す。そして、スピーカ７６から音声として出力する。
（２５）ステップＳ９５
待機リストがある場合、操作データ処理部１２−４は、ステップＳ８７の発言者情報に基づいて、記憶部８２の領域８２ａの待機者リストを更新する。
（２６）ステップＳ９６
操作データ処理部１２−４は、その待機者リストを携帯端末２−１の表示装置９１で表示可能なように変換する。その変換された待機者リスト（以下、変換待機者リスト）は、携帯端末２−１の表示装置９１で表示するデータであることを示すヘッダを有している。操作データ処理部１２−４は、待機者リストを携帯端末２−１へネットワーク５を介して送信する。
（２７）ステップＳ９７
携帯端末２−１のデータ認識部２３−１は、変換待機者リストのヘッダから、変換待機者リストが表示装置９１用のデータであることを認識する。そして、その変換待機者リストをメモリ７２内の領域７２ｄへ格納する。
表示データ処理部２３−５は、その変換待機者リストを領域７２ｄから読み出し、表示装置９１へ出力する。
（２８）ステップＳ９８
表示装置９１の制御部９１−１は、表示部９１−２を制御して、変換待機者リストを表示させる。このとき、既に表示されているデータに対して、別のウインドウを開くように表示する。
【０１１９】
このように会議における発言を整理することで、音声が重なって発言内容が聞き取れなくなることが無くなる。加えて、代表者に発言を選択する権限を与えることで、代表者が議事進行を制御することができる。これらにより、携帯端末による会議をより効率的に進行させることができる。
また、図１１において説明したカメラ画像については、会議の間、参加者全員を表示するだけでなく、発言者に焦点をあて、聞く側の携帯端末の表示部には「発言者の顔」、発言する側の携帯端末の表示部には、「聞いている者全員の顔」を表示させるよう、自動的に切り換える処理を情報処理装置１にて行うことができる。
【０１２０】
次に、図９のフローにおけるステップＳ３４の別の動作について説明する。
図１４及び図１５は、ステップＳ３４において、多数決をする動作を示すフロー図である。
【０１２１】
（１）ステップＳ１０１
携帯端末２−１のユーザは、キー入力部７４により、新たな機能を利用するために、メニュー画面を要求する。
この要求については、携帯端末２−１から行う形を例としてあげているが、接続している他の携帯端末（携帯端末２−２）からも行うことができる。
（２）ステップＳ１０２
携帯端末２−１の操作データ処理部２３−４は、メニュー画面要求入力を受けて、そのメニュー画面要求を情報処理装置１へネットワーク５を介して送信する。そのメニュー画面要求には、操作データを示すヘッダが付いている。
（３）ステップＳ１０３
情報処理装置１のデータ認識部１２−１は、メニュー画面要求のヘッダから、メニュー画面要求が操作データであることを認識する。そして、そのメニュー画面要求をメモリ８２内の領域８２ａへ格納する。
操作データ処理部１２−４は、携帯端末２−１の表示装置９１で表示及び操作可能なように対応したメニューデータを生成する。メニューデータは、会議に参加しているユーザが受けることができる情報処理機能の種類である。メニューデータは、例えば、多数決（二択、三択など）、意見集約である。そのメニューデータには、表示装置９１で表示可能なことを示すヘッダが付いている。
（４）ステップＳ１０４
操作データ処理部１２−４は、ネットワーク５を介してメニューデータを携帯端末２−１へ送信する。
（５）ステップＳ１０５
携帯端末２−１のデータ認識部２３−１は、メニューデータのヘッダから、メニューデータが表示装置９１用のデータであることを認識する。そして、そのメニューデータをメモリ７２内の領域７２ｄへ格納する。領域７２ｄは、表示装置９１に関するデータを記憶する。
表示データ処理部２３−５は、そのメニューデータを領域７２ｄから読み出し、表示装置９１へ出力する。
（６）ステップＳ１０６
表示装置９１の制御部９１−１は、表示部９１−２を制御して、メニューデータを表示させる。
（７）ステップＳ１０７
携帯端末２−１のユーザは、キー入力部７４により、メニューデータの中から所望の機能を選択する。例えば、多数決を選択する。
（８）ステップＳ１０８
携帯端末２−１の操作データ処理部２３−４は、選択されたメニューを示すメニュー選択の入力を受けて、そのメニュー選択を情報処理装置１へネットワーク５を介して送信する。そのメニュー選択には、操作データを示すヘッダが付いている。
（９）ステップＳ１０９
情報処理装置１のデータ認識部１２−１は、メニュー選択のヘッダから、メニュー選択が操作データであることを認識する。そして、そのメニュー選択をメモリ８２内の領域８２ａへ格納する。
操作データ処理部１２−４は、携帯端末２−１の表示装置９１で表示及び操作可能なように対応したメニュー対応データを生成する。メニュー対応データは、選択されたメニューの機能を実行するために必要な入力画面である。メニュー対応データは、例えば、多数決用の選択肢を記入する画面である。そのメニュー対応データには、表示装置９１で表示可能なことを示すヘッダが付いている。
（１０）ステップＳ１１０
操作データ処理部１２−４は、ネットワーク５を介してメニュー対応データを携帯端末２−１へ送信する。
（１１）ステップＳ１１１
携帯端末２−１のデータ認識部２３−１は、メニュー対応データのヘッダからメニュー対応データが表示装置９１用のデータであることを認識する。そして、そのメニュー対応データをメモリ７２内の領域７２ｄへ格納する。
表示データ処理部２３−５は、そのメニュー対応データを領域７２ｄから読み出し、表示装置９１へ出力する。
（１２）ステップＳ１１２
表示装置９１の制御部９１−１は、表示部９１−２を制御して、メニュー対応データを表示させる。
（１３）ステップＳ１１３
携帯端末２−１のユーザは、キー入力部７４により、メニュー対応データを参照しながら所望のデータを入力する。例えば、選択肢１をＹＥＳ、選択肢２をＮＯ、選択肢３を棄権、とする多数決の投票の指令である。
（１４）ステップＳ１１４
携帯端末２−１の操作データ処理部２３−４は、入力された指令を示す指令情報の入力を受けて、その指令情報を情報処理装置１へネットワーク５を介して送信する。その指令情報には、操作データを示すヘッダが付いている。
（１５）ステップＳ１１５
情報処理装置１のデータ制御部１２のデータ認識部１２−１は、指令情報のヘッダから、指令情報が操作データであるを認識する。そして、その指令情報をメモリ８２内の領域８２ａへ格納する。操作データ処理部１２−４は、その指令情報を領域８２ａから読み出す。そして、参加者データベース１４を参照して、指令情報を他の携帯端末（携帯端末２−２）の表示装置９１用のデータに変換して、他の携帯端末へ指令情報を送信する。
（１６）ステップＳ１１６
携帯端末２−２のデータ認識部２３−１は、指令情報のヘッダから、指令情報が表示装置９１用のデータであることを認識する。そして、その指令情報をメモリ７２内の領域７２ｄへ格納する。
表示データ処理部２３−５は、その指令情報を領域７２ｄから読み出し、表示装置９１へ出力する。
（１７）ステップＳ１１７
表示装置９１の制御部９１−１は、表示部９１−２を制御して、指令情報を表示させる。このとき、既に表示されているデータに対して、別のウインドウを開くように表示する。
（１８）ステップＳ１１８
ユーザは、表示装置９１に表示された指令情報に基づいて、キー入力部７４を介して入力を行う。例えば、選択肢１：ＹＥＳ、選択肢２：ＮＯ、選択肢３：棄権のいすれかである。操作データ処理部２３−１は、そのキー入力による意見を示す意見情報を生成する。意見情報は、操作データに関するデータであることを示すヘッダが付いている。
（１９）ステップＳ１１９
操作データ処理部２３−１は、意見情報を情報処理装置１へネットワーク５を介して送信する。
（２０）ステップＳ１２０
情報処理装置１のデータ制御部１２のデータ認識部１２−１は、意見情報のヘッダから、意見情報が操作データに関するデータであるを認識する。そして、その意見情報をメモリ８２内の領域８２ａへ格納する。
操作データ処理部１２−４は、メモリ８２内の領域８２ａへ格納された全ての携帯端末（携帯端末２−１、携帯端末２−２）からの意見情報を集約する。そして、意見集約の結果を意見集約データとして、表示装置９１で表示可能に生成する。例えば、選択肢１：３、選択肢２：１、選択肢３：０である。意見集約データは、表示装置に関するデータであることを示すヘッダが付いている。
（２１）ステップＳ１２１
操作データ処理部１２−４は、意見集約データを携帯端末２−１の表示装置９１用のデータに変換して、携帯端末２−１へネットワーク５を介して携帯端末２−１へ送信する。
（２２）ステップＳ１２２
同様に、操作データ処理部１２−４は、意見集約データを他の携帯端末２−２の表示装置９１用のデータに変換して、他の携帯端末２−２へネットワーク５を介して送信する。
（２３）ステップＳ１２３
携帯端末２−１のデータ制御部２２のデータ認識部２２−１は、意見集約データのヘッダから、意見集約データが表示装置９１に関するデータであるを認識する。そして、その意見集約データをメモリ７２内の領域７２ｄへ格納する。
表示データ処理部２３−５は、その意見集約データを領域７２ｄから読み出し、表示装置９１へ出力する。
（２４）ステップＳ１２４
表示装置９１の制御部９１−１は、表示部９１−２を制御して、意見集約データを表示させる。このとき、既に表示されているデータ対して、別のウインドウを開くように表示する。
（２５）ステップＳ１２５
携帯端末２−２のデータ制御部３２のデータ認識部３２−１は、意見集約データのヘッダから、意見集約データが表示装置９１に関するデータであるを認識する。そして、その意見集約データをメモリ７２内の領域７２ｄへ格納する。
表示データ処理部２３−５は、その意見集約データを領域７２ｄから読み出し、表示装置９１へ出力する。
（２６）ステップＳ１２６
表示装置９１の制御部９１−１は、表示部９１−２を制御して、意見集約データを表示させる。このとき、既に表示されているデータに対して、別のウインドウを開くように表示する。
【０１２２】
このような動作により、会議における意見集約を行い、多数決を取ることができる。それにより、単なる意見の収集だけでなく、議決まで実行することが可能となる。
【０１２３】
図１０の説明の後の部分で示した資料の編集や書き込みなどについても、図１２〜図１３に行っているような処理手順をふまえて実施することで、複数の人間で、携帯端末側からの編集や変更を実施することができる。また、その変更を共有することができる。そのため、より深い議論を実行することができる。
【０１２４】
上記の図８〜図１５の説明のように、外付け装置と内部の装置との相違、データの種類の相違等に基づいて、メモリ内に対応する領域を設けることで、データの流れを整理することが出来る。より確実な情報処理を行うことができる。
【０１２５】
上記動作における各部の動作及び送受信するデータは、データ制御部１２により、適当な時間間隔で、タイムスタンプを付加されて、データごとに記録データベース１９へ格納される。それにより、それらのデータはＴＶ会議の議事録として用いることができる。それにより、後日、そのＴＶ会議を再現することができる。そのほか、例えば、特定の携帯端末２−ｉから出力されたデータ（例示：特定のユーザの発言）を参照することができる。
【０１２６】
（第２の実施の形態）
次に、本発明の情報処理システム及び情報処理方法の第２の実施の形態について、添付図面を参照して説明する。本実施の形態では、本発明の情報処理システムをレストランでの注文を受け付けるシステムに適用した場合について説明する。
【０１２７】
図１９は、本発明の情報処理システムの第２の実施の形態の構成を示すブロック図である。本構成については、携帯端末が相手にするのは情報処理装置１であること（他の携帯端末２−２は直接には関係がない）、情報処理装置１のデータベースがレストランメニューデータベース１６を用い、資料データベース１３、参加者データベース１４、メニューデータベース１８を用いていないこと以外は第１の実施の形態と同様であるのでその説明を省略する。
【０１２８】
ただし、レストランメニューデータベース１６は、レストランにおいて注文可能な料理のメニューのデータと、それを表示装置に表示するためのデータが格納されている。携帯端末２−１の表示装置９１は、例えばレストランにおいてテーブルごとに設置されているものを用いる。
【０１２９】
ここで、本発明の情報処理システムの携帯端末の第２の実施の形態の構成（図６）、本発明の情報処理システムの情報処理装置の第２の実施の形態の構成（図７）については、第１の実施の形態と同様であるのでその説明を省略する。
【０１３０】
次に、本発明の情報処理システムの第２の実施の形態の動作（情報処理方法）について説明する。
図８及び図２０は、本発明の情報処理方法の第２の実施の形態の動作を示すフロー図である。ただし、図８は、携帯端末２−１が情報処理装置１の提供する複数の機能のうちから一つを選択するまでの動作を示す。図２０は、例として、携帯端末２−１（のユーザ）でのレストランにおける料理の注文が、機能として選択された場合を示す。
【０１３１】
図８を参照して、携帯端末２−１が情報処理装置１の提供する複数の機能のうちから一つを選択する動作については、選択される機能がレストランでの料理の注文である他は第１の実施の形態と同様であるのでその説明を省略する。
【０１３２】
次に、図２０を参照して、携帯端末２−１（のユーザ）でのレストランにおける料理の注文が、機能として選択された場合を示す。
【０１３３】
（１）ステップＳ１５１
開始情報出力の後、情報処理装置１の操作データ処理部１２−４は、レストランメニューデータベース１６からレストランメニュー情報を取得する。レストランメニュー情報は、レストランにおいて注文可能な料理のメニュー画面を示す。そして、機器情報に基づいて、その携帯端末２−１に接続された表示装置９１で表示及び操作を行うことができるように変換（対応）したレストランメニュー情報を生成する。その変換されたレストランメニュー情報は、携帯端末２−１の表示装置９１で表示するデータであることを示すヘッダを有している
（２）ステップＳ１５２
操作データ処理部１２−４は、ネットワーク５を介してレストランメニュー情報を携帯端末２−１へ送信する。
（３）ステップＳ１５３
携帯端末２−１のデータ認識部２３−１は、レストランメニュー情報のヘッダから、レストランメニュー情報が表示装置９１用のデータであることを認識する。そして、そのレストランメニュー情報をメモリ７２内の領域７２ｄへ格納する。表示データ処理部２３−５は、そのレストランメニュー情報を領域７２ｄから読み出し、表示装置９１へ出力する。
（４）ステップＳ１５４
表示装置９１の制御部９１−１は、表示部９１−２を制御して、レストランメニュー情報を表示させる。
（５）ステップＳ１５５
情報処理装置１の操作データ処理部１２−４は、機器情報に基づいて、その携帯端末２−１で表示及び操作を行うことができるように変換（対応）したオーダー表情報を生成する。オーダー表情報は、ユーザが注文する料理を入力する画面を示す。そして、その変換されたオーダー表情報は、携帯端末２−１で表示するデータであることを示すヘッダを有している
（６）ステップＳ１５６
操作データ処理部１２−４は、ネットワーク５を介してオーダー表情報を携帯端末２−１へ送信する。
（７）ステップＳ１５７
携帯端末２−１のデータ認識部２３−１は、オーダー表情報のヘッダから、オーダー表情報が内蔵表示装置７３用のデータであることを認識する。そして、そのオーダー表情報をメモリ７２内の領域７２ｃへ格納する。内蔵表示データ処理部２３−３は、そのオーダー表情報を領域７２ｃから読み出し、内蔵表示装置７３に表示させる。ユーザが注文する料理を入力する画面が表示される。
（８）ステップＳ１５８
携帯端末２−１の操作データ処理部２３−４は、発注情報が携帯端末２−１に入力されたか否かを判定する。ユーザの操作による発注情報は、領域７２ａに格納される。発注情報は、ユーザが注文する（選択する）料理を示す情報である。
（９）ステップＳ１５９
操作データ処理部２３−４は、発注情報が存在する場合、内蔵表示データ処理部２３−３に、発注が終了したか否かを問う画面を内蔵表示装置７３で表示させる。
（１０）ステップＳ１６０
ユーザが発注終了ではないことを示す入力を行った場合、操作データ処理部２３−４は、発注情報を情報処理装置１へネットワーク５を介して送信する。発注情報には操作データであることを示すヘッダを有している。
（１１）ステップＳ１６１
接続管理部１１のデータ認識部１２−１は、発注情報が操作データであることを認識し、領域８２ａに格納する。操作データ処理部１２−４は、携帯端末ＩＤと発注情報とを関連付けて記憶装置８２内に一時的に格納する。そして、レストランメニュー情報について、発注のあった料理をテーブルに運ばれたイメージで並べたり、注文数や総カロリーや栄養価を表示するなどの画面処理を行い、ステップＳ１５１へ戻る。
（１２）ステップＳ１６２
ユーザが発注終了を示す入力を行った場合、操作データ処理部２３−４は、発注終了を示す発注終了情報と発注情報とを情報処理装置１へネットワーク５を介して送信する。発注情報及び発注終了情報には操作データであることを示すヘッダを有している。
（１３）ステップＳ１６３
接続管理部１１のデータ認識部１２−１は、発注情報及び発注終了情報が操作データであることを認識し、領域８２ａに格納する。操作データ処理部１２−４は、携帯端末ＩＤと発注情報とを関連付けて記憶装置８２内に一時的に格納する。そして、操作データ処理部１２−４は、その携帯端末ＩＤに関わるすべての発注情報を厨房にある情報処理装置（図示されず）へネットワーク５を介して送信する。
【０１３４】
以上の動作により、レストランでの料理の注文に関わる本発明の情報処理方法が実施される。
【０１３５】
本発明により、サーバでレストランでのメニューを携帯端末へ配信することができる。それにより、メニューを更新する際、サーバ内のデータを変更するだけでよく、新しい複数のメニューを作成する必要がなくなる。客もメニューがない場合、店員にメニューを要求する手間と時間を省くことができるだけでなく、注文内容の視覚的な把握やカロリーや栄養価などの付加情報を知ることができる。
【０１３６】
上記の実施の形態では、レストランを例として示しているが、本発明はこれに限定されることはない。例えば、物を販売する店舗に適用できる。
【０１３７】
上記動作における各部の動作及び送受信するデータは、データ制御部１２により、適当な時間間隔で、タイムスタンプを付加されて、データごとに記録データベース１９へ格納される。それにより、それらのデータは客による注文の記録として用いることができる。それにより、注文の傾向やユーザの好みなどの情報を得ることができる。
【０１３８】
（第３の実施の形態）
次に、本発明の情報処理システム及び情報処理方法の第３の実施の形態について、添付図面を参照して説明する。本実施の形態では、本発明の情報処理システムをオンデマンドスポーツ中継のシステムに適用した場合について説明する。
【０１３９】
図２１は、本発明の情報処理システムの第３の実施の形態の構成を示すブロック図である。本構成については、携帯端末が相手にするのは情報処理装置１であること（他の携帯端末２−２は直接には関係がない）、情報処理装置１のデータベースがスポーツコンテンツデータベース１７を用い、資料データベース１３、参加者データベース１４、メニューデータベース１８を用いていないこと以外は第１の実施の形態と同様であるのでその説明を省略する。
ただし、スポーツコンテンツデータベース１７は、スポーツ中継のデータ（画像データ）、選手やチームに関するデータ、それを表示装置に表示するためのデータが格納されている。
【０１４０】
ここで、本発明の情報処理システムの携帯端末の第３の実施の形態の構成（図６）、本発明の情報処理システムの情報処理装置の第３の実施の形態の構成（図７）については、第１の実施の形態と同様であるのでその説明を省略する。
【０１４１】
次に、本発明の情報処理システムの第３の実施の形態の動作（情報処理方法）について説明する。
図８及び図２２は、本発明の情報処理方法の第３の実施の形態の動作を示すフロー図である。ただし、図８は、携帯端末２−１が情報処理装置１の提供する複数の機能のうちから一つを選択するまでの動作を示す。図２２は、例として、携帯端末２−１（のユーザ）でのオンデマンドスポーツ中継が、機能として選択された場合を示す。
【０１４２】
図８を参照して、携帯端末２−１が情報処理装置１の提供する複数の機能のうちから一つを選択する動作については、選択される機能がオンデマンドスポーツ中継である他は第１の実施の形態と同様であるのでその説明を省略する。
【０１４３】
次に、図２２を参照して、携帯端末２−１（のユーザ）でのオンデマンドスポーツ中継が、機能として選択された場合を示す。
【０１４４】
（１）ステップＳ１８１
開始情報出力の後、情報処理装置１の操作データ処理部１２−４は、スポーツコンテンツデータベース１７から画像情報を取得する。画像情報は、スポーツ中継の画像を示す。そして、機器情報に基づいて、その携帯端末２−１に接続された表示装置９１で表示及び操作を行うことができるように変換（対応）した画像情報を生成する。その変換された画像情報は、携帯端末２−１の表示装置９１で表示するデータであることを示すヘッダを有している。
（２）ステップＳ１８２
操作データ処理部１２−４は、ネットワーク５を介して画像情報を携帯端末２−１へ送信する。
（３）ステップＳ１８３
携帯端末２−１のデータ認識部２３−１は、画像情報のヘッダから、画像情報が表示装置９１用のデータであることを認識する。そして、その画像情報をメモリ７２内の領域７２ｄへ格納する。表示データ処理部２３−５は、その画像情報を領域７２ｄから読み出し、表示装置９１へ出力する。
（４）ステップＳ１８４
表示装置９１の制御部９１−１は、表示部９１−２を制御して、画像情報を表示させる。
（５）ステップＳ１８５
情報処理装置１の操作データ処理部１２−４は、機器情報に基づいて、その携帯端末２−１で表示及び操作を行うことができるように変換（対応）したコマンド一覧情報を生成する。コマンド一覧情報は、スポーツ中継に関連して実行できる操作を入力する画面を示す。スポーツ中継に関連して実行できる操作は、選手のデータやチームの順位などを表示させる操作、スポーツ中継の巻戻しや早送りの操作に例示される。そして、その変換されたコマンド一覧情報は、携帯端末２−１で表示するデータであることを示すヘッダを有している
（６）ステップＳ１８６
操作データ処理部１２−４は、ネットワーク５を介してコマンド一覧情報を携帯端末２−１へ送信する。
（７）ステップＳ１８７
携帯端末２−１のデータ認識部２３−１は、コマンド一覧情報のヘッダから、コマンド一覧情報が内蔵表示装置７３用のデータであることを認識する。そして、そのコマンド一覧情報をメモリ７２内の領域７２ｃへ格納する。内蔵表示データ処理部２３−３は、そのコマンド一覧情報を領域７２ｃから読み出し、内蔵表示装置７３に表示させる。スポーツ中継に関連して実行できる操作を入力する画面が表示される。
（８）ステップＳ１８８
携帯端末２−１の操作データ処理部２３−４は、コマンド情報が携帯端末２−１に入力されたか否かを判定する。ユーザの操作によるコマンド情報は、領域７２ａに格納される。コマンド情報は、ユーザが操作した（選択した）命令を示す情報である。
（９）ステップＳ１８９
操作データ処理部２３−４は、コマンド情報が存在する場合、内蔵表示データ処理部２３−３に、スポーツ中継を観ることを終了するか否かを問う画面を内蔵表示装置７３で表示させる。スポーツ中継を観ることを終了することを示す入力をユーザが行った場合、プロセスは終了する。
（１０）ステップＳ１９０
ユーザがスポーツ中継を観ることを終了しないことを示す入力を行った場合、操作データ処理部２３−４は、コマンド情報を情報処理装置１へネットワーク５を介して送信する。コマンド情報には操作データであることを示すヘッダを有している。
（１１）ステップＳ１９１
接続管理部１１のデータ認識部１２−１は、コマンド情報が操作データであることを認識し、領域８２ａに格納する。操作データ処理部１２−４は、コマンド情報に示される要求内容をスポーツコンテンツデータベース１７から抽出する。そして、、機器情報に基づいて、携帯端末２−１で表示及び操作を行うことができるようにその要求内容を示す要求内容情報を変換（対応）した要求内容情報を生成する。
（１２）ステップＳ１９２
操作データ処理部１２−４は、要求内容情報を携帯端末２−１へ送信する。要求内容情報は携帯端末２−１の内蔵表示装置７３で表示するデータであることを示すヘッダを有している。
（１３）ステップＳ１９３
携帯端末２−１のデータ認識部２３−１は、要求内容情報のヘッダから、要求内容情報が内蔵表示装置７３用のデータであることを認識する。そして、その要求内容情報をメモリ７２内の領域７２ｃへ格納する。内蔵表示データ処理部２３−３は、その要求内容情報を領域７２ｃから読み出し、内蔵表示装置７３に表示させる。ユーザの要求した内容が画面に表示される。ステップＳ１８５へ戻る。
【０１４５】
以上の動作により、オンデマンドスポーツ中継に関わる本発明の情報処理方法が実施される。
【０１４６】
本発明により、出先のディスプレイを用いて、広い画面でオンデマンドでスポーツ中継を観戦することができる。加えて、選手の情報のような他の情報を携帯端末の画面で同時に適宜見ることができ、スポーツ観戦をダイナミックに楽しむことが可能となる。
【０１４７】
上記の実施の形態では、スポーツ中継を例として示しているが、本発明はこれに限定されることはない。例えば、情報処理装置１の配信によりコンサートや映画、演劇を観る場合に適用できる。
【０１４８】
上記動作における各部の動作及び送受信するデータは、データ制御部１２により、適当な時間間隔で、タイムスタンプを付加されて、データごとに記録データベース１９へ格納される。ただし、スポーツ中継自身のデータは例えばデータファイル名として記録する。それにより、それらのデータはスポーツ中継の観戦者の記録として用いることができる。それにより、要求されるスポーツ中継の傾向やユーザの好みなどの情報を得ることができる。
【０１４９】
上記の実施の形態では、情報処理として、携帯端末を用いたＴＶ会議、レストランでの料理の注文、オンディマンドスポーツ中継について説明したが、本発明はこの場合に限定されるものではない。すなわち、携帯端末の内蔵表示装置と、携帯端末に外付けされた表示装置とに別々の情報を流したいような場面で利用することができる。
【０１５０】
例えば、複数のユーザがゲームを行う場合、内蔵表示装置は他のユーザには見せない個々のユーザの情報の表示に、外付表示装置は共通のゲーム画面の表示にそれぞれ利用する。ゲームに関するデータ制御は情報処理装置１が提供する。
入札に用いる場合、内蔵表示装置及び携帯端末そのものはユーザの入札額入力に、外付表示装置は商品説明の表示にそれぞれ利用する。入札に関するデータ制御は情報処理装置１が提供する。
オークションに用いる場合、内蔵表示装置及び携帯端末そのものはユーザのビットに、外付表示装置は商品説明の表示及び現在のビット金額にそれぞれ利用する。オークションに関するデータ制御は情報処理装置１が提供する。
競馬のような公営ギャンブルで用いる場合、内蔵表示装置及び携帯端末そのものはユーザの投票券購入に、外付表示装置はオッズやレース中継の表示にそれぞれ利用する。公営ギャンブルに関するデータ制御は情報処理装置１が提供する。
ナビゲーションの場合、内蔵表示装置及び携帯端末そのものは地図の縮尺の拡大等のデータ要求の入力及びその表示に、外付表示装置は全体の地図の表示にそれぞれ利用する。ナビゲーションに関するデータ制御は情報処理装置１が提供する。
画像の表示の場合、内蔵表示装置及び携帯端末そのものは画像の拡大等のデータ要求の入力及びその表示に、外付表示装置は全体の画像の表示にそれぞれ利用する。画像の表示に関するデータ制御は情報処理装置１が提供する。
【０１５１】
携帯端末２−１と表示装置９１における２つの画面における連携については、以下のようにして行うことが考えられる。
携帯端末２−１の内蔵表示装置７３と携帯端末２−１に接続する表示装置９１の表示部９１−２に出力する内容は、連携を取ることで、利便性を高めることができる。例えば、図１０の説明の後の部分で説明した、資料データの編集においては、編集におけるメニュー画面を内蔵表示装置７３に表示、編集作業や反映した編集結果は、接続している表示装置９１に連携して表示する。また、上述している他の使用例においても、１つの画面の内容により、もう一方に表示する画面の情報を自動的に変更することができる利便性は説明できる。スポーツ中継で言えば、外付け表示装置９１に表示されている中継内容で、例えばある選手がクローズアップされているときは、携帯端末２−１の内蔵表示装置７３には、その選手に関する情報を、情報処理装置１が自動的に選択し、表示を行うというような例である。
【０１５２】
また、情報処理装置１上でアプリケーションを動作させて、情報処理装置１がアプリケーションの動作状態を外付表示装置に表示可能に映像化する。そして、外付表示装置用のデータとして携帯端末にストリーミング配信する。外付け表示装置はその動作状況を表示する。携帯端末そのものはアプリケーションの入力（例示：携帯電話の場合、矢印キーでカンソールの移動、テンキーで文字入力）に用いる。携帯端末の入力（例示：カンソールの位置情報、入力文字）を逐次情報処理装置１へ送信される。情報処理装置１は、その入力に対応してアプリケーションを動作させる。そして、アプリケーションの動作状態を外付表示装置に表示可能にした映像を逐次ストリーミング配信する。この場合、例えば、携帯端末そのものでの入出力データと、外付表示装置用のデータとのメモリ領域を分けることで効率的に実行することができる。
【０１５３】
このようにすることで、容量に制限のある携帯端末のメモリに、容量の大きいアプリケーションをダウンロードしたり展開することなく、アプリケーションの動作画面の送受信によりそのアプリケーションを利用することができる。情報処理装置１がユーザ自身のパーソナルコンピュータ（ＰＣ）の場合、外出先でもユーザの普段のＰＣ環境で、情報処理を行うことができる。
【０１５４】
上記の実施の形態では外部機器接続用インターフェースにフラットパネルディスプレイのような表示装置を設けていたが、本発明はその例に限定されない。図１６は、携帯端末の表示装置の他の構成を示す概略図である。この表示装置は、投射装置９１’と入力装置９３とを備える。すなわち、表示装置に加えて入力装置の機能も備える。いずれも外部機器接続用インターフェースに接続される。
【０１５５】
入力装置９３はシート形状を有し、タッチパネル９４を含む。投射装置９１’は、上記説明における表示装置９１が表示する画面の内容と、キーボードの画像とを合成して入力装置９３のタッチパネル９４上に投影する。携帯端末２−１を予め設定された位置Pに設置し、投射装置９１’の投影する映像の位置、倍率を固定することで、画面の内容及びキーボードの各キーの位置を毎回同じ位置にすることができる。“キーボードの画像”は、利用するプログラムに応じて必ずしも必要なものではなく、また、画面内に示すボタンのようなメタファーでもよい。ここでいう“キーボード”は、ボタンのようなメタファーを代表的に示したものである。
【０１５６】
それらの画面の内容の位置とタッチパネル９４上の位置、キーボードの各キーの位置とタッチパネル９４上の位置との関係を示すテーブルは、携帯端末２−１の記憶装置７２内に格納されている。それにより、タッチパネル９４のどの位置に触れたかで、ユーザの入力を把握することができる。画面の内容とキーボードの画像との合成は、内蔵表示データ処理部２３−３で行う。タッチパネルの入力の処理は、別の操作データ処理部、及び、メモリ内の専用の領域を新たに設け、それらに行わせる。
【０１５７】
図１７は、投射装置９１’の構成を示すブロック図である。投射装置９１’は、制御部９１’−１と、表示部９１’−２とを備える。表示部９１’−２では、ランプ１２１の光が、画面の内容及びキーボードの映し出されるＬＣＤパネル１２２を透過し、レンズなどの光学系１２３を経て、タッチパネル９４へ投射される。介してを制御部９１’−１は、表示装置９１用のデータを表示部９１−２に表示させる。
【０１５８】
図１８は、携帯端末の他の形態を示す構成図である。この場合、表示装置９１のほかにキーボードのような入力装置９５を、外部機器接続用インターフェースを介して携帯端末に接続している。この場合には、入力の処理は、別の操作データ処理部、及び、メモリ内の専用の領域を新たに設け、それらに行わせる。
【０１５９】
上記実施の形態における、２種類の画面に別々の情報を表示させている。このような表示方法として例えば、特開２００３−３１９０９７号公報の方法を用いることも可能である。また、２種類の画面を一画面として情報を表示させる方法としては、ＡＧ−ＴＥＣＨ  Ｃｏｒｐｏｒａｔｉｏｎ（／ｗｗｗ．ａｇｔｅｃｈ．ｃｏ．ｊｐ／）製造のＭａｘｉＶｉｓｔａ（登録商標）（ｈｔｔｐ：／ｈｔｔｐ：／／ｗｗｗ．ｍａｘｉｖｉｓｔａ．ｊｐ／）の技術を用いることも可能である。また、２種類の画面を一画面として情報を表示させる他の方法としては、特開平１０−１９８５０５号公報の方法を利用することも可能である。
【０１６０】
なお、第１の実施の形態〜第３の実施の形態に示す情報処理システムにおける情報の授受は一例であり、その他のサービス（その他のデータの送受信）に適用することも可能である。
【図面の簡単な説明】
【０１６１】
【図１】図１（ａ）及び（ｂ）は、本発明の情報処理システムを示す外略図である。
【図２】図２は、本発明の情報処理システムの第１の実施の形態の構成を示すブロック図である。
【図３】図３は、参加者データベース１４の一例を示す表である。
【図４】図４は、接続機器データベース１５の一例を示す表である。
【図５】図５は、メニューデータベース１８の一例を示す表である。
【図６】図６は、本発明の情報処理システムの携帯端末の実施の形態の構成を示すブロック図である。
【図７】図７は、本発明の情報処理システムの情報処理装置の実施の形態の構成を示すブロック図である。
【図８】図８は、本発明の情報処理方法の実施の形態の動作を示すフロー図である。
【図９】図９は、本発明の情報処理方法の第１の実施の形態の動作を示すフロー図である。
【図１０】図１０は、ステップＳ１５において、データを表示装置に表示させる動作を示すフロー図である。
【図１１】図１１は、ステップＳ１５において、携帯端末２−１で撮影したユーザの画像を携帯端末２−２に表示させる動作を示すフロー図である。
【図１２】図１２は、ステップＳ１５において、ユーザが発言をする動作を示すフロー図である。
【図１３】図１３は、ステップＳ１５において、ユーザが発言をする動作を示すフロー図である。
【図１４】図１４は、ステップＳ１５において、多数決をする動作を示すフロー図である。
【図１５】図１５は、ステップＳ１５において、多数決をする動作を示すフロー図である。
【図１６】図１６は、携帯端末の表示装置の他の構成を示す概略図である。
【図１７】図１７は、投射装置の構成を示すブロック図である。
【図１８】図１８は、携帯端末の他の形態を示す構成図である。
【図１９】図１９は、本発明の情報処理システムの第２の実施の形態の構成を示すブロック図である。
【図２０】図２０は、本発明の情報処理方法の第２の実施の形態の動作を示すフロー図である。
【図２１】図２１は、本発明の情報処理システムの第３の実施の形態の構成を示すブロック図である。
【図２２】図２２は、本発明の情報処理方法の第３の実施の形態の動作を示すフロー図である。
【符号の説明】
【０１６２】
１    情報処理装置
２、３    携帯端末
５    ネットワーク
１１    接続管理部
１２    データ制御部
１２−１    データ認識部
１２−２    音声データ処理部
１２−３    内蔵表示データ処理部
１２−４    操作データ処理部
１２−５    表示データ処理部
１２−６    検索部
１３    資料データベース
１４    参加者データベース
１５    接続機器データベース
１６    レストランメニューデータベース
１７    スポーツコンテンツデータベース
１８    メニューデータベース
１９    記録データベース
２１、３１    付属機器管理部
２２、３２    接続管理部
２３、３３    データ制御部
２３−１    データ認識部
２３−２    音声データ処理部
２３−３    内蔵表示データ処理部
２３−４    操作データ処理部
７０    カメラ
７１    ＣＰＵ
７２    メモリ
７２ａ、７２ｂ、７２ｃ、７２ｄ    領域
７３    内蔵表示装置
７４    キー入力部
７５    マイク
７６    スピーカ
７７    通信部
７８    記憶装置
７９    外部機器接続用インターフェース
８１    ＣＰＵ
８２    メモリ
８２ａ、８２ｂ、８２ｃ    領域
８３、８４    外部機器接続用インターフェース
８５    通信部
８６    記憶装置
９１    表示装置
９１’    投射装置
９１’−１    制御部
９１’−２    表示部
９３    入力装置
９４    タッチパネル
９６    キーボード
９７    表示装置
１２１    ランプ
１２２    ＬＣＤパネル
１２３    光学系
【図１】
2006185235.tif 000003
【図２】
2006185235.tif 000004
【図３】
2006185235.tif 000005
【図４】
2006185235.tif 000006
【図５】
2006185235.tif 000007
【図６】
2006185235.tif 000008
【図７】
2006185235.tif 000009
【図８】
2006185235.tif 000010
【図９】
2006185235.tif 000011
【図１０】
2006185235.tif 000012
【図１１】
2006185235.tif 000013
【図１２】
2006185235.tif 000014
【図１３】
2006185235.tif 000015
【図１４】
2006185235.tif 000016
【図１５】
2006185235.tif 000017
【図１６】
2006185235.tif 000018
【図１７】
2006185235.tif 000019
【図１８】
2006185235.tif 000020
【図１９】
2006185235.tif 000021
【図２０】
2006185235.tif 000022
【図２１】
2006185235.tif 000023
【図２２】
2006185235.tif 000024